(57)【要約】【課題】少なくとも２つの下地印刷用ヘッド取付部と、少なくとも２つの色彩印刷用ヘッド取付部とを備えたインクジェットプリンタ、プログラム、及び、非一時的なコンピュータ可読媒体を提供すること。【解決手段】キャリッジ２０Ｃには、第一ヘッド取付部１１１Ａ，１１１Ｂが設けられ、白インク用ヘッド１０１Ａ，１０１Ｂ、又は、抜染インク用ヘッドが各々取り付け可能である。キャリッジ２０Ｃの前方側には、第二ヘッド取付部２１１Ａ，２１１Ｂが設けられ、カラー印刷用ヘッド２０１Ａ、２０１Ｂ又は、特色インク用ヘッドが各々取り付け可能である。第一ヘッド取付部１１１Ａと、第二ヘッド取付部２１１Ａとの間には、平坦な平坦部３２０が設けられている。第一ヘッド取付部１１１Ｂと、第二ヘッド取付部２１１Ｂとの間にも、平坦な平坦部３２０が設けられている。【選択図】図１１
2020163581.tif 000002
【特許請求の範囲】
【請求項１】
白インクを被印刷対象に吐出する白インク用ヘッド、又は、前記被印刷対象の色を抜く抜染インクを吐出する抜染用ヘッドである両方の下地印刷用ヘッドを選択的に取付け可能な少なくとも２つの下地印刷用ヘッド取付部と
前記下地印刷用ヘッドを前記被印刷対象に対して主走査方向に走査する走査装置と、
前記下地印刷用ヘッド取付部よりも、前記主走査方向と直交する副走査方向の下流側に配置され、イエロー、マゼンタ、シアン、ブラックのカラーのインクのうち少なくとも２色の色彩印刷用ヘッドを取付け可能な２つの色彩印刷用ヘッド取付部と
を備えたことを特徴とするインクジェットプリンタ。
【請求項２】
前記２つの下地印刷用ヘッド取付部または前記２つの色彩印刷用ヘッド取付部の少なくとも一方には、２つの同じ種類のヘッドが取付けられたことを特徴とする請求項１に記載のインクジェットプリンタ。
【請求項３】
前記２つの下地印刷用ヘッド取付部または前記２つの色彩印刷用ヘッド取付部の少なくとも一方には、異なる種類のヘッドが取付けられたことを特徴とする請求項１に記載のインクジェットプリンタ。
【請求項４】
前記下地印刷用ヘッド取付部と前記色彩印刷用ヘッド取付部とが前記主走査方向に直交する方向に離間して配置され、
前記下地印刷用ヘッド取付部と前記色彩印刷用ヘッド取付部の間に、平坦な平坦部が設けられていることを特徴とする請求項１から３の何れかに記載のインクジェットプリンタ。
【請求項５】
前記下地印刷用ヘッド取付部と前記色彩印刷用ヘッド取付部に取り付けられる前記下地印刷用ヘッド、及び、前記色彩印刷用ヘッドに対応して、前記下地印刷用ヘッド及び、前記色彩印刷用ヘッドのメンテナンスを行うメンテナンス機構、又は、前記下地印刷用ヘッド、及び、前記色彩印刷用ヘッドにインクを供給するインク流路の少なくとも一方のスペースが設けられたことを特徴とする請求項１から４の何れかに記載のインクジェットプリンタ。
【請求項６】
前記下地印刷用ヘッド、及び、前記色彩印刷用ヘッドからのインクの吐出を制御する制御部を備え、
前記制御部は、前記下地印刷用ヘッドが吐出するインク、及び、前記カラーのインクによる前記被印刷対象へ同一走査において共に印刷を実行することを特徴とする請求項１から５の何れかに記載のインクジェットプリンタ。
【請求項７】
前記下地印刷用ヘッド、及び、前記色彩印刷用ヘッドからのインクの吐出を制御する制御部を備え、
前記制御部は、前記下地印刷用ヘッドによる下地用印刷の開始位置を含む走査位置、又は、前記下地印刷用ヘッドによる下地用印刷の完了位置を含む走査位置を前記色彩印刷用ヘッドによる印刷の開始位置にした後に、前記下地印刷用ヘッドの吐出するインクによって下地用印刷された前記被印刷対象の領域に対して、前記色彩印刷用ヘッドの吐出するインクによるカラー印刷を実施することを特徴とする請求項１から６の何れかに記載のインクジェットプリンタ。
【請求項８】
前記下地印刷用ヘッド及び、前記色彩印刷用ヘッドからのインクの吐出を制御する制御部を備え、
前記制御部は、前記下地印刷用ヘッドが吐出する液体が前記被印刷対象の色を抜く抜染インクである場合、前記下地印刷用ヘッドによる抜染開始位置を含む走査位置、又は、前記下地印刷用ヘッドによる抜染完了位置を含む走査位置を前記色彩印刷用ヘッドによる印刷の開始位置にした後に、前記下地印刷用ヘッドの吐出するインクによって下地用印刷された前記被印刷対象の領域に対して、前記色彩印刷用ヘッドの吐出する前記カラーのインクによるカラー印刷を実施することを特徴とする請求項１から７の何れかに記載のインクジェットプリンタ。
【請求項９】
白インクを被印刷対象に吐出する白インク用ヘッド、又は、前記被印刷対象の色を抜く抜染インクを吐出する抜染用ヘッドである両方の下地印刷用ヘッドを選択的に取付け可能な少なくとも２つの下地印刷用ヘッド取付部と、
前記下地印刷用ヘッドを前記被印刷対象に対して主走査方向に走査する走査装置と、
前記下地印刷用ヘッド取付部よりも、前記主走査方向と直交する副走査方向の下流側に配置され、イエロー、マゼンタ、シアン、ブラックのカラーのインクのうち少なくとも２色の色彩印刷用ヘッドを取付け可能な２つの色彩印刷用ヘッド取付部と、
前記２つの下地印刷用ヘッド取付部、及び、２つの色彩印刷用ヘッド取付部に取付けられたヘッドを制御する制御装部と
を備えたことを特徴とするインクジェットプリンタ。
【請求項１０】
２つの前記下地印刷用ヘッドを同一走査において共に吐出、又は選択的にいずれかのヘッドの吐出、
２つの前記色彩印刷用ヘッドを同一走査において共に吐出、又は選択的にいずれかのヘッドの吐出
を設定可能な設定手段を
を備えたことを特徴とする請求項１から９の何れかに記載のインクジェットプリンタ。
【請求項１１】
前記下地印刷用ヘッド、及び、前記色彩印刷用ヘッドからのインクの吐出を制御する制御部を備え、
前記制御部は、前記下地印刷用ヘッド取付部に、前記白インク用ヘッドが少なくとも２つ取付けられている場合に、２つの前記白インク用ヘッドが前記被印刷対象に対向している状態において、２つの前記白インク用ヘッドからの前記白インクの同一走査において共に吐出を実行することを特徴とする請求項１から１０の何れかに記載のインクジェットプリンタ。
【請求項１２】
前記下地印刷用ヘッド、及び、前記色彩印刷用ヘッドからのインクの吐出を制御する制御部を備え、
前記制御部は、前記下地印刷用ヘッド取付部に、前記抜染用ヘッドが少なくとも２つ取付けられている場合に、２つの前記抜染用ヘッドが前記被印刷対象に対向している状態において、２つの前記抜染用ヘッドからの前記抜染インクを同一走査において共に吐出を実行することを特徴とする請求項１から１０の何れかに記載のインクジェットプリンタ。
【請求項１３】
前記下地印刷用ヘッド、及び、前記色彩印刷用ヘッドからのインクの吐出を制御する制御部を備え、
前記制御部は、前記下地印刷用ヘッド取付部に、前記白インク用ヘッド、及び、前記抜染用ヘッドが取付けられている場合に、前記白インク用ヘッド、及び、前記抜染用ヘッドが前記被印刷対象に対向している状態において、前記白インク用ヘッド、及び、前記抜染用ヘッドからの各インクを同一走査において共に吐出を実行することを特徴とする請求項１から１０の何れかに記載のインクジェットプリンタ。
【請求項１４】
前記下地印刷用ヘッド、及び、前記色彩印刷用ヘッドからのインクの吐出を制御する制御部を備え、
前記制御部は、前記色彩印刷用ヘッド取付部に、前記色彩印刷用ヘッドが少なくとも２つ取付けられている場合に、２つの前記色彩印刷用ヘッドが前記被印刷対象に対向している状態において、２つの前記色彩印刷用ヘッドからの前記カラーのインクを同一走査において共に吐出を実行することを特徴とする請求項１から１３の何れかに記載のインクジェットプリンタ。
【請求項１５】
前記下地印刷用ヘッド、及び、前記色彩印刷用ヘッドからのインクの吐出を制御する制御部を備え、
前記制御部は、２つの前記下地印刷用ヘッドを同一走査において共に吐出を選択的にいずれかのヘッドの吐出に変更し、又、２つの前記色彩印刷用ヘッドを同一走査において共に吐出を選択的にいずれかのヘッドの吐出に変更することを特徴とする請求項１から１４の何れかに記載のインクジェットプリンタ。
【請求項１６】
前記インクジェットプリンタが前記被印刷対象に印刷を行う最初の印刷走査において、前記下地印刷用ヘッド、及び、前記色彩印刷用ヘッドの前記主走査方向において上流側に前記下地印刷用ヘッド、及び、前記色彩印刷用ヘッドが位置し、
最後の印刷走査において前記主走査方向において下流側に前記下地印刷用ヘッド、及び、前記色彩印刷用ヘッドが位置することを特徴とする請求項１から１５の何れかに記載のインクジェットプリンタ。
【請求項１７】
前記下地印刷用ヘッドのノズル列、及び、前記色彩印刷用ヘッドのノズル列が一直線上または平行になるように、前記下地印刷用ヘッドの取付部、及び、前記色彩印刷用ヘッドの取付部が配置されていることを特徴とする請求項１から１６の何れかに記載のインクジェットプリンタ。
【請求項１８】
Ｌ：前記下地印刷用ヘッド取付部に取付けられたヘッドと前記色彩印刷用ヘッド取付部に取付けられたヘッドの間の距離、
Ｔｐｗ：前記下地印刷用ヘッド取付部に取付けられたヘッドの先頭ノズルが印刷した部分に前記色彩印刷用ヘッド取付部に取付けられたヘッドのノズルが印刷するまの時間、
Ｔｃｒ：主走査リターンの合計時間、
Ｔｗ：ウエイト時間、
Ｌｎ：副走査方向におけるノズル列の長さ、
Ｉｎ：インターレースの回数
とした場合に
Ｌ≧（Ｔｐｗ・Ｌｎ）／（（Ｔｃｒ＋Ｔｗ）・Ｉｎ）であることを特徴とする請求項１から請求項１７の何れかに記載のインクジェットプリンタ。
【請求項１９】
前記下地印刷用ヘッド及び前記色彩印刷用ヘッドが１つのキャリッジに搭載されていることを特徴とする請求項１から１８の何れかに記載のインクジェットプリンタ。
【請求項２０】
前記下地印刷用ヘッド取付部と前記色彩印刷用ヘッド取付部とが前記主走査方向に直交する方向に離間して配置され、
前記下地印刷用ヘッド取付部と前記色彩印刷用ヘッド取付部の間に、インクを吐出する追加ヘッドを取り付け可能な追加ヘッド取付部が設けられていることを特徴とする請求項１から１９の何れかに記載のインクジェットプリンタ。
【請求項２１】
前記追加ヘッドは、前記被印刷対象の色を抜く抜染インク、または、前記下地印刷用ヘッドが吐出するインク及び前記カラーのインクとも異なる特色インクの少なくとも一方のインクを吐出することを特徴とする請求項２０に記載のインクジェットプリンタ。
【請求項２２】
白インクを被印刷対象に吐出する白インク用ヘッド、又は、前記被印刷対象の色を抜く抜染インクを吐出する抜染用ヘッドである両方の下地印刷用ヘッドを選択的に取付け可能な少なくとも２つの下地印刷用ヘッド取付部と、
前記下地印刷用ヘッドを前記被印刷対象に対して主走査方向に走査する走査装置と、
前記下地印刷用ヘッド取付部よりも、前記主走査方向と直交する副走査方向の下流側に配置され、イエロー、マゼンタ、シアン、ブラックのカラーのインクのうち少なくとも２色の色彩印刷用ヘッドを取付け可能な２つの色彩印刷用ヘッド取付部と、
プロセッサとを備えたインクジェットプリンタの前記プロセッサに、
前記２つの下地印刷用ヘッド取付部に各々取付けられた前記下地印刷用ヘッド、及び、２つの色彩印刷用ヘッド取付部に各々取付けられた色彩印刷用ヘッドからのインクの吐出を制御する制御処理を実行させることを特徴とするプログラム。
【請求項２３】
白インクを被印刷対象に吐出する白インク用ヘッド、又は、前記被印刷対象の色を抜く抜染インクを吐出する抜染用ヘッドである両方の下地印刷用ヘッドを選択的に取付け可能な少なくとも２つの下地印刷用ヘッド取付部と、
前記下地印刷用ヘッドを前記被印刷対象に対して主走査方向に走査する走査装置と、
前記下地印刷用ヘッド取付部よりも、前記主走査方向と直交する副走査方向の下流側に配置され、イエロー、マゼンタ、シアン、ブラックのカラーのインクのうち少なくとも２色の色彩印刷用ヘッドを取付け可能な２つの色彩印刷用ヘッド取付部と、
プロセッサとを備えたインクジェットプリンタの前記プロセッサに、
前記２つの下地印刷用ヘッド取付部に各々取付けられた前記下地印刷用ヘッド、及び、２つの色彩印刷用ヘッド取付部に各々取付けられた色彩印刷用ヘッドからのインクの吐出を制御する制御処理を実行させるコンピュータ可読命令を記録した非一時的なコンピュータ可読媒体。
【発明の詳細な説明】
【技術分野】
【０００１】
本発明は、インクジェットプリンタ、プログラム、及び非一時的なコンピュータ可読媒体に関する。
【背景技術】
【０００２】
印刷用インクの吐出に先立って印刷媒体を下地処理するインクを吐出するインクジェットプリンタが知られている。例えば、特許文献1に記載のインクジェットプリンタは、印刷用紙の搬送方向に沿って所定のピッチで配列され、印刷用インクを噴射する第１ノズル列と、第１ノズル列よりも搬送方向上流側の領域に配置され、印刷用インク又はプレコートインクを噴射可能な第２ノズル列とを備えている。該インクジェットプリンタでは、プレコートインクを噴射可能な第２ノズル列が、印刷用インクを噴射する第１ノズル列よりも搬送方向上流側に離れて配置されている。従って、プレコートインクを使用する場合には、まず、第２ノズル列からプレコートインクが印刷媒体へ向けて噴射されて下地層が印刷媒体に形成された後、第１ノズルから、下地層が形成された領域に印刷用インクが噴射される。これにより、印刷用インクの印刷媒体への浸透が抑制されることから、高画質印刷が可能となる。
【先行技術文献】
【特許文献】
【０００３】
【特許文献１】特開２０１５−１４７４２６号公報
【発明の概要】
【発明が解決しようとする課題】
【０００４】
しかしながら、上記従来のインクジェットプリンタにおいては、第２ノズル列は、印刷用インク又はプレコートインクを吐出可能であるが、印刷媒体の色を抜く抜染材を吐出できない。また、第１ノズル列は所定のカラーの印刷用インクしか吐出できない。従って、装着するヘッドを選択的に変えることができないという問題点があった。
【０００５】
本発明の目的は、少なくとも２つの下地印刷用ヘッド取付部に白インク用ヘッド、又は、前記被印刷対象の色を抜く抜染インクを吐出する抜染用ヘッドの両方を選択的に取付け可能であり、少なくとも２つの色彩印刷用ヘッド取付部にイエロー、マゼンタ、シアン、ブラックのカラーのインクのうち少なくとも２色のヘッドを選択的に取付け可能なインクジェットプリンタ、プログラム、及び非一時的なコンピュータ可読媒体を提供することである。
【課題を解決するための手段】
【０００６】
本発明の第一態様のインクジェットプリンタは、白インクを被印刷対象に吐出する白インク用ヘッド、又は、前記被印刷対象の色を抜く抜染インクを吐出する抜染用ヘッドである両方の下地印刷用ヘッドを選択的に取り付け可能な少なくとも２つの下地印刷用ヘッド取り付け部と前記下地印刷用ヘッドを前記被印刷対象に対して主走査方向に走査する走査装置と、前記下地印刷用ヘッド取付部よりも、前記主走査方向と直交する副走査方向の下流側に配置され、イエロー、マゼンタ、シアン、ブラックのカラーのインクのうち少なくとも２色の色彩印刷用ヘッドを取付け可能な２つの色彩印刷用ヘッド取付部とを備えたことを特徴とする。
【０００７】
この場合、白用ヘッド又は抜染用ヘッドが下地印刷用ヘッド取付部に選択的に取付け可能であり、色彩印刷用ヘッドが選択的に色彩印刷用ヘッド取付部に取付け可能である。従って、白用ヘッド又は抜染用ヘッドによって印刷し、印刷を止めずに、色彩印刷用ヘッドによる印刷がされても、白用ヘッド又は抜染用ヘッドによる印刷の乾燥時間を確保して、良好な印刷をすることができる。
【０００８】
また、前記２つの下地印刷用ヘッド取付部または前記２つの色彩印刷用ヘッド取付部の少なくとも一方には、２つの同じ種類のヘッドが取付けられてもよい。この場合、走査方向におけるインク量を増やすことができる。
【０００９】
また、前記２つの下地印刷用ヘッド取付部または前記２つの色彩印刷用ヘッド取付部の少なくとも一方には、異なる種類のヘッドが取付けられてもよい。この場合、２つとも同じヘッドが取付けられている場合に比べて、多様な印刷に適用できる。
【００１０】
また、前記下地印刷用ヘッド取付部と前記色彩印刷用ヘッド取付部とが前記主走査方向に直交する方向に離間して配置され、前記下地印刷用ヘッド取付部と前記色彩印刷用ヘッド取付部の間に、平坦な平坦部が設けられていてもよい。
【００１１】
この場合、下地印刷用ヘッド取付部と色彩印刷用ヘッド取付部の間に平坦部が設けられ、下地印刷用ヘッド取付部と色彩印刷用ヘッド取付部の間に別のヘッドが設けられていない。従って、下地印刷用ヘッド取付部に取付けられたヘッドによる印刷部分が色彩印刷用ヘッド取付部に取付けられたヘッドからのインクに接触するまでの時間が確保される。よって、下地印刷用ヘッド取付部に取付けられたヘッドによる印刷部分が色彩印刷用ヘッド取付部に取付けられたヘッドからのインクによって滲む可能性が低減している。
【００１２】
また、前記下地印刷用ヘッド取付部と前記色彩印刷用ヘッド取付部に取り付けられる前記下地印刷用ヘッド、及び、前記色彩印刷用ヘッドに対応して、前記下地印刷用ヘッド及び、前記色彩印刷用ヘッドのメンテナンスを行うメンテナンス機構、又は、前記下地印刷用ヘッド、及び、前記色彩印刷用ヘッドにインクを供給するインク流路の少なくとも一方のスペースが設けられていてもよい。
【００１３】
この場合、該スペースにメンテナンス機構、インク流路を取り付けることができる。
【００１４】
また、前記下地印刷用ヘッド、及び、前記色彩印刷用ヘッドからのインクの吐出を制御する制御部を備え、前記制御部は、前記下地印刷用ヘッドが吐出するインク、及び、前記カラーのインクによる前記被印刷対象への同一走査において共に印刷を実行してもよい。
【００１５】
この場合、下地印刷用ヘッドが吐出するインク、及び、カラーのインクによる被印刷対象への同一走査において共に印刷を実行することができる。従って、下地印刷用インク、カラーのインクの順に別の相対的な走査において印刷を行うものに対して印刷時間が短縮できる。
【００１６】
また、前記下地印刷用ヘッド、及び、前記色彩印刷用ヘッドからのインクの吐出を制御する制御部を備え、前記制御部は、前記下地印刷用ヘッドによる下地用印刷の開始位置を含む走査位置、又は、前記下地印刷用ヘッドによる下地用印刷の完了位置を含む走査位置を前記色彩印刷用ヘッドによる印刷の開始位置にした後に、前記下地印刷用ヘッドが吐出するインクによって印刷された前記被印刷対象の領域に対して、前記色彩印刷用ヘッドの吐出するカラーのインクによる印刷を実施してもよい。
【００１７】
この場合、下地印刷用ヘッドが吐出するインクによって印刷された被印刷対象の領域に対して、カラーのインクよる印刷を実行することができる。
【００１８】
また、前記下地印刷用ヘッド、及び、前記色彩印刷用ヘッドからのインクの吐出を制御する制御部を備え、前記制御部は、前記下地印刷用ヘッドが吐出する液体が前記被印刷対象の色を抜く抜染インクである場合、前記下地印刷用ヘッドによる抜染開始位置、又は、前記下地印刷用ヘッドによる抜染完了位置を含む走査位置を前記色彩印刷用ヘッドによる印刷の開始位置にした後に、前記下地印刷用ヘッドが吐出するインクによって下地用印刷された前記被印刷対象の領域に対して、前記色彩印刷用ヘッド吐出するカラーのインクによるカラー印刷を実施してもよい。
【００１９】
この場合、抜染インクによって抜染印刷された被印刷対象の領域に対して、カラーのインクによる被印刷対象への印刷を実施することができる。
【００２０】
本発明の第二態様のインクジェットプリンタは、白インクを被印刷対象に吐出する白インク用ヘッド、又は、前記被印刷対象の色を抜く抜染インクを吐出する抜染用ヘッドである両方の下地印刷用ヘッドを選択的に取付け可能な少なくとも２つの下地印刷用ヘッド取付部と、前記下地印刷用ヘッドを前記被印刷対象に対して主走査方向に走査する走査装置と、前記下地印刷用ヘッド取付部よりも、前記主走査方向と直交する副走査方向の下流側に配置され、イエロー、マゼンタ、シアン、ブラックのカラーのインクのうち少なくとも２色の色彩印刷用ヘッドを取付け可能な２つの色彩印刷用ヘッド取付部と、前記２つの下地印刷用ヘッド取付部、及び、２つの色彩印刷用ヘッド取付部に取付けられたヘッドを制御する制御装部とを備えたことを特徴とする。
【００２１】
この場合、白用ヘッド又は抜染用ヘッドが下地印刷用ヘッド取付部に選択的に取付け可能であり、色彩印刷用ヘッドが選択的に色彩印刷用ヘッド取付部に取付け可能である。従って、制御部は、白用ヘッド又は抜染用ヘッドによって被印刷対象に下地印刷を行い、印刷を止めずに、色彩印刷用ヘッドによるカラー印刷を行うことができる。従って、白用ヘッド又は抜染用ヘッドによる印刷の乾燥時間を確保して、良好な印刷をすることができる。
【００２２】
また、２つの前記下地印刷用ヘッドを同一走査において共に吐出、又は選択的にいずれかのヘッドの吐出、２つの前記色彩印刷用ヘッドを同一走査において共に吐出、又は選択的にいずれかのヘッドの吐出を設定可能な設定手段を備えてもよい。
【００２３】
この場合、被印刷対象に合わせて、主走査方向でのインクの吐出量を調整することができる。
【００２４】
また、前記下地印刷用ヘッド、及び、前記色彩印刷用ヘッドからのインクの吐出を制御する制御部を備え、前記制御部は、前記下地印刷用ヘッド取付部に、前記白インク用ヘッドが少なくとも２つ取付けられている場合に、２つの前記白インク用ヘッドが前記被印刷対象に対向している状態において、２つの前記白インク用ヘッドからの前記白インクを同一走査において共に吐出してもよい。
【００２５】
この場合、主走査方向での被印刷対象に吐出される白インクの吐出量を１つの白インク用ヘッドから吐出する場合に比べて、増やすことができる。
【００２６】
また、前記下地印刷用ヘッド、及び、前記色彩印刷用ヘッドからのインクの吐出を制御する制御部を備え、前記制御部は、前記下地印刷用ヘッド取付部に、前記抜染用ヘッドが少なくとも２つ取付けられている場合に、２つの前記抜染用ヘッドが前記被印刷対象に対向している状態において、２つの前記抜染用ヘッドからの前記抜染インクを同一走査において共に吐出してもよい。
【００２７】
この場合、主走査方向での被印刷対象に吐出される抜染インクの吐出量を１つの抜染インク用ヘッドから吐出する場合に比べて、増やすことができる。
【００２８】
また、前記下地印刷用ヘッド、及び、前記色彩印刷用ヘッドからのインクの吐出を制御する制御部を備え、前記制御部は、前記下地印刷用ヘッド取付部に、前記白インク用ヘッド、及び、前記抜染用ヘッドが取付けられている場合に、前記白インク用ヘッド、及び、前記抜染用ヘッドが前記被印刷対象に対向している状態において、前記白インク用ヘッド、及び、前記抜染用ヘッドからの各インクを同一走査において共に吐出をしてもよい。
【００２９】
この場合、抜染インク、白インクの順に別の相対的な走査において印刷を行うものに対して印刷時間が短縮できる。
【００３０】
また、前記下地印刷用ヘッド、及び、前記色彩印刷用ヘッドからのインクの吐出を制御する制御部を備え、前記制御部は、前記色彩印刷用ヘッド取付部に、前記色彩印刷用ヘッドが少なくとも２つ取付けられている場合に、２つの前記色彩印刷用ヘッドが前記被印刷対象に対向している状態において、２つの前記色彩印刷用ヘッドからの前記カラーのインクを同一走査において共に吐出してもよい。
【００３１】
この場合、２つの色彩印刷用ヘッドからのカラーのインクの吐出を各々別の相対的な走査において印刷を行うものに対して印刷時間が短縮できる。
【００３２】
また、前記下地印刷用ヘッド、及び、前記色彩印刷用ヘッドからのインクの吐出を制御する制御部を備え、前記制御部は、２つの前記下地印刷用ヘッドを同一走査において共に吐出を選択的にいずれかのヘッドの吐出に変更し、又、２つの前記色彩印刷用ヘッドを同一走査において共に同時吐出を選択的にいずれかのヘッドの吐出に変更してもよい。
【００３３】
この場合、被印刷対象に合わせ、下地印刷用ヘッドを２つ又は１つ使用するか、色彩印刷用ヘッドを２つ又は１つ使用するかを選択することができる。
【００３４】
また、前記インクジェットプリンタが前記被印刷対象に印刷を行う最初の印刷走査において、前記下地印刷用ヘッド、及び、前記色彩印刷用ヘッドの前記主走査方向において上流側に前記下地印刷用ヘッド、及び、前記色彩印刷用ヘッドが位置し、最後の印刷走査において前記主走査方向において下流側に前記下地印刷用ヘッド、及び、前記色彩印刷用ヘッドが位置してもよい。
【００３５】
この場合、下地印刷用ヘッド、色彩印刷用ヘッドが走査により印刷を行うことができる。
【００３６】
また、前記下地印刷用ヘッドのノズル列、及び、前記色彩印刷用ヘッドのノズル列が一直線上または平行になるように、前記下地印刷用ヘッドの取付部、及び、前記色彩印刷用ヘッドの取付部が配置されてもよい。
【００３７】
この場合、下地印刷用ヘッドのノズル列、色彩印刷用ヘッドのノズル列が一直線上または平行になるように、下地印刷用ヘッド、および、カラー印刷用ヘッドが取り付けられるので、下地印刷用ヘッド、および、カラー印刷用ヘッドが主走査方向へ走査されて印刷を行うことができる。
【００３８】
Ｌ：前記下地印刷用ヘッド取付部に取付けられたヘッドと前記色彩印刷用ヘッド取付部に取付けられたヘッドの間の距離、Ｔｐｗ：前記下地印刷用ヘッド取付部に取付けられたヘッドの先頭ノズルが印刷した部分に前記色彩印刷用ヘッド取付部に取付けられたヘッドのノズルが印刷するまのでの時間、Ｔｃｒ：主走査リターンの合計時間、Ｔｗ：ウエイト時間、Ｌｎ：副走査方向におけるノズル列の長さ（「ノズル長」とも言う。）、Ｉｎ：インターレースの回数とした場合に、Ｌ≧（Ｔｐｗ・Ｌｎ）／（（Ｔｃｒ＋Ｔｗ）・Ｉｎ）であってもよい。
【００３９】
Ｌ≧（Ｔｐｗ・Ｌｎ）／（（Ｔｃｒ＋Ｔｗ）・Ｉｎ）の条件を満たす場合には、下地印刷用ヘッド取付部に取付けられたヘッドの吐出と色彩印刷用ヘッド取付部に取付けられたヘッドの吐出との間に、ウエイト時間を設ける必要がなく、ウエイト時間を設ける場合に対して印刷時間を短縮することができる。
【００４０】
また、前記下地印刷用ヘッド及び前記色彩印刷用ヘッドが１つのキャリッジに搭載されていてもよい。この場合には、１つのキャリッジの走査により下地印刷用ヘッド及び前記色彩印刷用ヘッドが走査される。
【００４１】
また、前記下地印刷用ヘッド取付部と前記色彩印刷用ヘッド取付部とが前記主走査方向に直交する方向に離間して配置され、前記下地印刷用ヘッド取付部と前記色彩印刷用ヘッド取付部の間に、インクを吐出する追加ヘッドを取り付け可能な追加ヘッド取付部が設けられていてもよい。
【００４２】
この場合、追加ヘッド取付部に選択的に追加ヘッドを取り付けて、多様な印刷に対応することができる。また、追加ヘッドが未装着の場合、下地印刷用ヘッドから吐出された液に対する乾燥時間を確保して、良好な印刷を迅速に行うことができる。
【００４３】
前記追加ヘッドは、前記被印刷対象の色を抜く抜染インク、または、前記下地印刷用ヘッドが吐出するインク及び前記カラーのインクとも異なる特色インクの少なくとも一方のインクを吐出してもよい。この場合、追加ヘッド取付部に選択的に追加ヘッドを取り付けて、多様な印刷に対応することができる。また、追加ヘッドが未装着の場合、下地印刷用ヘッドから吐出された液に対する乾燥時間を確保して、良好な印刷を迅速に行うことができる。
【００４４】
本発明の第三態様のプログラムは、白インクを被印刷対象に吐出する白インク用ヘッド、又は、前記被印刷対象の色を抜く抜染インクを吐出する抜染用ヘッドである両方の下地印刷用ヘッドを選択的に取付け可能な少なくとも２つの下地印刷用ヘッド取付部と、前記下地印刷用ヘッドを前記被印刷対象に対して主走査方向に走査する走査装置と、前記下地印刷用ヘッド取付部よりも、前記主走査方向と直交する副走査方向の下流側に配置され、イエロー、マゼンタ、シアン、ブラックのカラーのインクのうち少なくとも２色の色彩印刷用ヘッドを取付け可能な２つの色彩印刷用ヘッド取付部と、プロセッサとを備えたインクジェットプリンタの前記プロセッサに、前記２つの下地印刷用ヘッド取付部に各々取付けられた前記下地印刷用ヘッド、及び、２つの色彩印刷用ヘッド取付部に各々取付けられた色彩印刷用ヘッドからのインクの吐出を制御する制御処理を実行させることを特徴とする。
【００４５】
本発明の第四態様のコンピュータ可読命令を記録した非一時的なコンピュータ可読媒体は、  白インクを被印刷対象に吐出する白インク用ヘッド、又は、前記被印刷対象の色を抜く抜染インクを吐出する抜染用ヘッドである両方の下地印刷用ヘッドを選択的に取付け可能な少なくとも２つの下地印刷用ヘッド取付部と、前記下地印刷用ヘッドを前記被印刷対象に対して主走査方向に走査する走査装置と、前記下地印刷用ヘッド取付部よりも、前記主走査方向と直交する副走査方向の下流側に配置され、イエロー、マゼンタ、シアン、ブラックのカラーのインクのうち少なくとも２色の色彩印刷用ヘッドを取付け可能な２つの色彩印刷用ヘッド取付部と、プロセッサとを備えたインクジェットプリンタの前記プロセッサに、前記２つの下地印刷用ヘッド取付部に各々取付けられた前記下地印刷用ヘッド、及び、２つの色彩印刷用ヘッド取付部に各々取付けられた色彩印刷用ヘッドからのインクの吐出を制御する制御処理を実行させることを特徴とする。
【図面の簡単な説明】
【００４６】
【図１】プリンタ１の斜視図である。
【図２】筐体２を取り外したプリンタ１の斜視図である。
【図３】メンテナンス部１４１，１４２の構造の平面図である。
【図４】プリンタ１の電気的構成を示すブロック図である。
【図５】キャリッジ２０Ａの平面図である。
【図６】キャリッジ２０Ｂの平面図である。
【図７】キャリッジ２０Ｂの平面図である。
【図８】キャリッジ２０Ｂの平面図である。
【図９】キャリッジ２０Ｂの平面図である。
【図１０】キャリッジ２０Ｂの平面図である。
【図１１】キャリッジ２０Ｃの平面図である。
【図１２】キャリッジ２０Ｃの平面図である。
【図１３】キャリッジ２０Ｃの平面図である。
【図１４】キャリッジ２０Ｄの平面図である。
【図１５】キャリッジ２０Ｅの平面図である。
【図１６】メンテナンスユニット１４５Ａの平面図である。
【図１７】メンテナンスユニット１４５Ｂの平面図である。
【図１８】インク流路７０Ａの図である。
【図１９】インク流路７０Ｂの図である。
【図２０】インク流路７０Ｃの図である。
【図２１】インク量設定処理のフローチャートである。
【図２２】吐出設定処理のフローチャートである。
【図２３】印刷処理のフローチャートである。
【図２４】ヘッドのノズル面６０を示す図である。
【図２５】下地印刷開始位置にあるプラテン５に向って移動するキャリッジ２０Ｃの位置関係を示す図である。
【図２６】カラー印刷開始位置にあるプラテン５に向って移動するキャリッジ２０Ｃの位置関係を示す図である。
【図２７】抜染印刷開始位置にあるプラテン５に向って移動するキャリッジ２０Ｃの位置関係を示す図である。
【図２８】カラー印刷開始位置にあるプラテン５に向って移動するキャリッジ２０Ｃの位置関係を示す図である。
【図２９】抜染印刷開始位置にあるプラテン５に向って移動するキャリッジ２０Ｃの位置関係を示す図である。
【図３０】下地印刷開始位置にあるプラテン５に向って移動するキャリッジ２０Ｃの位置関係を示す図である。
【図３１】カラー印刷開始位置にあるプラテン５に向って移動するキャリッジ２０Ｃの位置関係を示す図である。
【図３２】抜染印刷開始位置にあるプラテン５に向って移動するキャリッジ２０Ｃの位置関係を示す図である。
【図３３】カラー印刷完了位置にあるプラテン５を通過したキャリッジ２０Ｃの位置関係を示す図である。
【００４７】
＜プリンタ１の機械的構成＞
プリンタ１は、Ｔシャツ等の布帛及び紙等の印刷媒体（図示略）に、液体を吐出して印刷を行うシリアル式のインクジェットプリンタである。プリンタ１は、例えば、液体として互いに異なる５種のインク（ホワイト（Ｗ）、ブラック（Ｋ）、イエロー（Ｙ）、シアン（Ｃ）、及びマゼンタ（Ｍ））を下方へ向けて吐出することで、印刷媒体にカラー画像を印刷する。以下の説明では、５種のインクのうち、ホワイトのインクを白インクといい、ブラック、シアン、イエロー、及びマゼンタの４色のインクを総称する場合はカラーインクという。
【００４８】
図１及び図２に示すように、プリンタ１は、筐体２、プラテン駆動機構６、プラテン５、トレイ４、枠体１０、ガイドシャフト９、レール１１、キャリッジ２０、ヘッド１００，２００、駆動ベルト１０１、及び駆動モータ１９、および後述する非印刷領域１４０においてメンテナンス部１４１，１４２（図３参照）等を備える。筐体２は、前面と背面との各々に開口部を有する箱状である。筐体２の右側前方の位置には、操作部４７が設けられている。操作部４７は、ディスプレイ４９及び操作ボタン４６を備える。操作ボタン４６は、ユーザがプリンタ１の各種動作に関する指示を入力する際に操作される。ディスプレイ４９は、各種情報を表示可能な液晶ディスプレイ（ＬＣＤ）である。
【００４９】
プラテン駆動機構６は、後端部に設けられたモータ（図示せず）を駆動源として、プラテン５及びトレイ４を、一対のガイドレール（図示略）に沿って筐体２の前後方向（以下、「副走査方向」とも言う。）に移動させる。プラテン５は、平面視長方形状の板状である。プラテン５の上面に、例えばＴシャツ等の布帛である印刷媒体が載置される。トレイ４は、平面視矩形状であり、プラテン５の下方に設けられている。トレイ４は、作業者がＴシャツ等をプラテン５に載置する際に、Ｔシャツの袖等を受けることで、この袖等が筐体２内部の他の部品に接触しないように保護する。
【００５０】
枠体１０は、平面視長方形状の枠状である。枠体１０は、筐体２の上部に設置される。枠体１０は、ガイドシャフト９と、レール１１とを内側において夫々支持する。キャリッジ２０は、ガイドシャフト９に沿って左右方向（以下、「主走査方向」とも言う。）に搬送可能に支持されている。ヘッド１００，２００，及び後述するヘッド３００は、キャリッジ２０に搭載される。ヘッド１００は、ヘッド２００よりも後方に位置する。ヘッド１００，２００，及び後述するヘッド３００の夫々の底面に、図２４に示すように、ノズル面６０が設けられている、ノズル面６０には、微細なノズル６１を前後方向（副走査方向）に複数備えたノズル列６２が複数設けられている。ノズル列６２の前後方向の長さであるノズル長はＬｎである。また、ノズル面６０の前後方向の長さはＨである。圧電素子の駆動によりノズル６１から下向きにインクの液滴が吐出する。プラテン５が後側から前側に移動する場合に、印刷媒体に印刷を行う場合には、ノズル面６０の後方側が副走査方向の上流側（先に印刷される側）である。以下、ヘッド１００を「下地印刷用ヘッド１００」とも言い、ヘッド２００を「カラー印刷用ヘッド２００」とも言い、ヘッド３００を「追加ヘッド３００」とも言う。カラー印刷用ヘッド２００、下地印刷用ヘッド１００、及び、追加ヘッド３００おける印刷開始位置は、各ヘッドにおける印刷に用いる最も後方側のノズルが、印刷領域の最も後方側に位置する。本件実施例におけるヘッドは吐出するインクが異なっても、すべて同じ外形やノズル面６０を有する。
【００５１】
駆動ベルト１０１は、枠体１０の内側において、左右方向に沿って架け渡される帯状である。駆動モータ１９は、正逆回転可能であり、駆動ベルト１０１を介して、キャリッジ２０と連結されている。プラテン５が印刷媒体を前後方向（搬送方向、副走査方向）に搬送しながら、駆動モータ１９の駆動により左右方向に往復移動するヘッド１００，２００，３００からインクが吐出されることで、プリンタ１による印刷媒体への印刷が行われる。
【００５２】
プリンタ１の右側には、装着部３が設けられている。本実施形態においては、装着部３には、カートリッジ３０が接続される。カートリッジ３０は、カートリッジ３０内に収容された液体を、プリンタ１のヘッドに供給するカートリッジである。
【００５３】
＜メンテナンス部の構造＞
図３を参照して、メンテナンス部の構造を説明する。図３に示すように、メンテナンス部１４１，１４２は、非印刷領域１４０において、それぞれヘッド１００，２００の移動経路の下方に設けられている。メンテナンス部１４１，１４２は、ワイパ８１、ノズルキャップ９１、排気キャップ９３等を各々備える。メンテナンス部１４１，１４２において、ヘッド１００，２００のインク吐出性能を回復し、プリンタ１の印刷品質を確保するための、パージ、ノズル面払拭等の種々のメンテナンス動作が実行される。パージは、ヘッド１００，２００が各々ノズルキャップ９１および排気キャップ９３により覆われて、ヘッド１００，２００等から異物又は気泡等を含むインクを排出する動作である。パージが実行されることで、プリンタ１は、例えば、ヘッド１００，２００から異物および気泡等を含むインクを吸引して、ヘッド１００，２００に吐出不良が発生する可能性を低減できる。ノズル面払拭は、ワイパ８１によって、ヘッド１００，２００のノズル面６０の表面に残った余分なインク等を払拭する動作である。メンテナンス部１４１，１４２の間には、追加ヘッド３００のメンテナンスを行うメンテナンス部用の空きスペース１４３が設けられている。
【００５４】
＜プリンタ１の電気的構成＞
図４を参照して、プリンタ１の電気的構成を説明する。プリンタ１は、プリンタ１を制御するＣＰＵ４０を備える。ＣＰＵ４０には、ＲＯＭ４１、ＲＡＭ４２、ヘッド駆動部４３、主走査駆動部４４、副走査駆動部４５、ＡＳＩＣ１８、表示制御部４８、操作処理部５０、カートリッジセンサ３３、及びがヘッドセンサ３４がバス３９を介して電気的に接続されている。
【００５５】
ＲＯＭ４１には、ＣＰＵ４０がプリンタ１の動作を制御するための制御プログラム及び初期値等が記憶されている。ＲＡＭ４２には、制御プログラムで用いられる各種データ、フラグ等が一時的に記憶される。ヘッド駆動部４３はインクを吐出するヘッド１００、２００に電気的に接続されており、ヘッド１００、２００（図２参照）の各吐出チャンネルに設けられた圧電素子を駆動し、ノズルからインクを吐出させる。
【００５６】
主走査駆動部４４は、駆動モータ１９（図２参照）を含み、キャリッジ２０を主走査方向に移動させる。副走査駆動部４５は、プラテン駆動機構６（図１及び図２参照）を駆動して、プラテン５（図１参照）を副走査方向に移動させる。ＡＳＩＣ１８は、ヘッド駆動部４３、主走査駆動部４４、及び副走査駆動部４５を制御する。カートリッジセンサ３３は、インクを収容したカートリッジ３０の着脱及び種類を検出する。ヘッドセンサ３４は、下地印刷用ヘッド取付部１１０に取り付けられたヘッドの種類を検出する。ヘッドセンサ３４は、下地印刷用ヘッド取付部１１０に設けられ、一例として、複数のマイクロスイッチから構成され、追加ヘッド３００の凹凸を検出して、追加ヘッド３００の種類を検出する。なお、ＣＰＵ４０は、キャリッジ２０が左右のいずれの方向に移動する場合においても、ヘッド１００，２００，３００（後述）によりそれぞれのインクを吐出させることが可能である。ＣＰＵ４０は、プラテン５が前後のいずれの方向に移動する場合においても、ヘッド１００，２００，３００によりそれぞれのインクを吐出させることが可能である。
【００５７】
＜キャリッジ２０Ａの構造＞
図５を参照して、キャリッジ２０の一例であるキャリッジ２０Ａについて説明する。キャリッジ２０Ａは、平面視した場合、前後方向に長い矩形である。図５に示すように、キャリッジ２０Ａの後方側には、下地印刷用ヘッド取付部１１０が設けられている。下地印刷用ヘッド取付部１１０には、下地印刷用ヘッド１００が取り付けられている。ヘッド１００の一例は、白インク用ヘッドである。下地印刷用ヘッド取付部１１０には、ヘッド１００の下面のノズル面（図示略）を下方に露出させる為の開口部（図示略）と、ヘッド１００を固定するためのねじ穴（図示略）が設けられている。キャリッジ２０Ａの前方側には、カラー印刷用ヘッド取付部２１０が設けられている。カラー印刷用ヘッド取付部２１０には、カラー印刷用のヘッド２００が取り付けられている。ヘッド２００の一例は、イエロー、マゼンタ、シアン、ブラック用のヘッドである。また、カラー印刷用ヘッド取付部２１０には、ヘッド２００の下面のノズル面（図示略）を下方に露出させる為の開口部（図示略）と、ヘッド２００を固定するためのねじ穴（図示略）が設けられている。また、下地印刷用ヘッド１００とカラー印刷用のヘッド２００とが、主走査方向と直交する副走査方向に、離間して配置されている。離間距離（図５：Ｌａ＝ｍ１＋ｍ２）は、後述する（式１）により求められる値Ｍの２倍以上である。
【００５８】
即ち、図５において、ｍ１、ｍ２は、１つの追加ヘッド３００を、第一ヘッド１０１Ａと第二ヘッド２０１Ａとの間に仮想的に配置した場合の距離である。図５において、追加ヘッド３００、第一ヘッド１０１Ａ、第二ヘッド２０１Ａは副走査方向に一直線に並び、それらのノズル列も副走査方向に一直線であることを想定している。図５において、Ｍは、追加ヘッド３００に対する第一ヘッド１００又は第二ヘッド２００に関して、?と同様の考えに基づき、?と同様の数式で求めた滲み防止距離である。それら距離の大小関係は、ｍ１≧Ｍ、ｍ２≧Ｍ、Ｌａ＝ｍ１+ｍ２≧２Ｍである。したがって、もし、図５において、１つの追加ヘッド３００を、第一ヘッド１０１Ａと第二ヘッド２０１Ａとの間に配置することになったとしても、追加ヘッド３００のインクに関する滲みが防止されている。
【００５９】
図５に示すように、下地印刷用ヘッド取付部１１０とカラー印刷用ヘッド取付部２１０との間には、追加ヘッド取付部３１０が設けられている。追加ヘッド取付部３１０には、追加ヘッド３００が取り付けられる。即ち、下地印刷用ヘッド１００とカラー印刷用のヘッド２００との間に、追加ヘッド３００を取り付け可能な追加ヘッド取付部３１０が設けられている。追加ヘッド３００の一例は、イエロー、マゼンタ、シアン、ブラック、及び、白とは異なる色である特定色のインクである特色インクを吐出する特色インク用ヘッド３０１、または、印刷媒体の色を抜く抜染インクを吐出する抜染インク用ヘッド３０２である。特色インクの一例は、蛍光色、金、銀、メタリックカラー、パステル調の色等である。なお、図面では、下地印刷用のヘッド１００の内、白色用ヘッドを「Ｗ」、カラー印刷用ヘッド２００の内、イエロー、マゼンタ、シアン、ブラック用のヘッドを「Ｃ」、特色インク用ヘッド３０１を「Ｓ」、抜染インク用ヘッド３０２を「Ｄ」と示す。なお、カラー印刷用ヘッド２００は、一例として、イエロー、マゼンタ、シアン、ブラックのうち少なくとも２色のカラーのインクを吐出する。
【００６０】
＜キャリッジ２０Ｂの構造＞
図６を参照して、キャリッジ２０の一例のキャリッジ２０Ｂについて説明する。キャリッジ２０Ｂは、平面視した場合、前後方向に長い矩形である。図６に示すように、キャリッジ２０Ｂには、キャリッジ２０Ａと同様に、キャリッジ２０Ｂの中央より左側、且つ、後方側から前方に向けて、下地印刷用ヘッド取付部１１０Ａ、追加ヘッド取付部３１０Ａ、及びカラー印刷用ヘッド取付部２１０Ａが設けられている。また、キャリッジ２０Ｂにおいて、下地印刷用ヘッド取付部１１０Ａ、追加ヘッド取付部３１０Ａ、及びカラー印刷用ヘッド取付部２１０Ａの右側には、後方側から前方に向けて、下地印刷用ヘッド取付部１１０Ｂ、追加ヘッド取付部３１０Ｂ、及びカラー印刷用ヘッド取付部２１０Ｂが設けられている。下地印刷用ヘッド取付部１１０Ｂは下地印刷用ヘッド取付部１１０Ａよりも所定長さ前方にずれて設けられている。また、追加ヘッド取付部３１０Ｂも追加ヘッド取付部３１０Ａよりも所定長さ前方にずれて設けられている。また、カラー印刷用ヘッド取付部２１０Ｂもカラー印刷用ヘッド取付部２１０Ａよりも所定長さ前方にずれて設けられている。
【００６１】
下地印刷用ヘッド取付部１１０Ａ，１１０Ｂ、追加ヘッド取付部３１０Ａ，３１０Ｂ、及びカラー印刷用ヘッド取付部２１０Ａ，２１０Ｂは、各々、キャリッジ２０Ａの下地印刷用ヘッド取付部１１０、追加ヘッド取付部３１０、及びカラー印刷用ヘッド取付部２１０と同様の構造である。下地印刷用ヘッド取付部１１０Ａ，１１０Ｂには、白インク用ヘッド１０１Ａ，１０１Ｂが取り付けられている。また、カラー印刷用ヘッド取付部２１０Ａ，２１０Ｂには、カラー印刷用ヘッド２０１Ａ，２０１Ｂが取り付けられている。追加ヘッド取付部３１０Ａ，３１０Ｂには、追加ヘッドは取り付けられていない。また、白インク用ヘッド１０１Ａと、カラー印刷用ヘッド２０１Ａとの副走査方向における離間距離（図６：Ｌｂ＝ｍ３＋ｍ４）は、後述する（式１）により求められる値Ｍの２倍以上である。
【００６２】
即ち、図６において、ｍ３、ｍ４は、１つの追加ヘッド３００を、第一ヘッド１０１Ａと第二ヘッド２０１Ａとの間に仮想的に配置した場合の、図５と同様に想定した距離である。図６において、追加ヘッド３００、第一ヘッド１０１Ａ、第二ヘッド２０１Ａは副走査方向に一直線に並び、それらのノズル列も副走査方向に一直線であることを想定している。図６において、Ｍは、追加ヘッド３００に対する第一ヘッド１０１Ａ又は第二ヘッド２０１Ａに関して、Ｌと同様の考えに基づき、Ｌと同様の数式で求めた滲み防止距離である。それら距離の大小関係は、ｍ３≧Ｍ、ｍ４≧Ｍ、Ｌｂ＝ｍ３+ｍ４≧２Ｍである。したがって、もし、図６において、１つの追加ヘッド３００を、第一ヘッド１０１Ａと第二ヘッド２０１Ａとの間に配置することになったとしても、追加ヘッド３００のインクに関する滲みが防止されている。
【００６３】
図７は、図６に示すキャリッジ２０Ｂの追加ヘッド取付部３１０Ａ，３１０Ｂに特色インク用ヘッド３０１Ａ，３０１Ｂが各々取り付けられている状態を示す。図８は、図６に示すキャリッジ２０Ｂの追加ヘッド取付部３１０Ａ，３１０Ｂに抜染インク用ヘッド３０２Ａ，３０２Ｂが各々取り付けられている状態を示す。図９は、図６に示すキャリッジ２０Ｂの追加ヘッド取付部３１０Ａに抜染インク用ヘッド３０２Ａが取り付けられ、追加ヘッド取付部３１０Ｂに特色インク用ヘッド３０１Ｂが取り付けられている状態を示す。図１０は、図６に示すキャリッジ２０Ｂの追加ヘッド取付部３１０Ａに特色インク用ヘッド３０１Ａが取り付けられ、追加ヘッド取付部３１０Ｂに抜染インク用ヘッド３０２Ｂが取り付けられている状態を示す。
【００６４】
＜キャリッジ２０Ｃの構造＞
図１１を参照して、キャリッジ２０の一例のキャリッジ２０Ｃについて説明する。キャリッジ２０Ｃが本発明の実施例である。キャリッジ２０Ｃは、平面視した場合、キャリッジ２０Ｂと同様の形状であり、前後方向に長い矩形である。図１１に示すように、キャリッジ２０Ｃの中央より左側、且つ、後方側には、第一ヘッド取付部１１１Ａが設けられている。第一ヘッド取付部１１１Ａには、第一ヘッドが取り付けられている。第一ヘッドの一例は、白インク用ヘッド１０１Ａ、又は、抜染インク用ヘッド３０２Ａである。第一ヘッド取付部１１１Ａには、第一ヘッドの下面のノズル面（図示略）を下方に露出させる為の開口部（図示略）と、第一ヘッドを固定するためのねじ穴（図示略）が設けられている。キャリッジ２０Ｃの前方側には、第二ヘッド取付部２１１Ａが設けられている。第二ヘッド取付部２１１Ａには、第二ヘッドが取り付けられている。第二ヘッドの一例は、カラー印刷用ヘッド２０１Ａ、又は、特色インク用ヘッド３０１Ａである。また、第二ヘッド取付部２１１Ａには、第二ヘッドの下面のノズル面（図示略）を下方に露出させる為の開口部（図示略）と、第二ヘッドを固定するためのねじ穴（図示略）が設けられている。従って、第一ヘッドと第二ヘッドが、主走査方向と直交する副走査方向に、離間して配置されている。キャリッジ２０Ｂと異なり、第一ヘッド取付部１１１Ａと、第二ヘッド取付部２１１Ａとの間には、平坦な平坦部３２０が設けられ、追加ヘッド取付部は設けられていない。
【００６５】
また、キャリッジ２０Ｃにおいて、第一ヘッド取付部１１１Ａ、及び、第二ヘッド取付部２１１Ａの右側には、後方側から前方に向けて、第一ヘッド取付部１１１Ｂ、及び、第二ヘッド取付部２１１Ｂが設けられている。第一ヘッド取付部１１１Ｂと、第二ヘッド取付部２１１Ｂとの間には、平坦な平坦部３２０が設けられ、追加ヘッド取付部は設けられていない。また、第一ヘッド取付部１１１Ｂは、第一ヘッド取付部１１１Ａよりも所定長さ前方にずれて設けられている。また、第二ヘッド取付部２１１Ｂも第二ヘッド取付部２１１Ａよりも所定長さ前方にずれて設けられている。第一ヘッド取付部１１１Ｂ、及び、第二ヘッド取付部２１１Ｂは、各々、第一ヘッド取付部１１１Ａ、及び、第二ヘッド取付部２１１Ａと同様の構造である。第一ヘッド取付部１１１Ｂに取り付けられる第一ヘッドの一例は、白インク用ヘッド１０１Ｂ、又は、抜染インク用ヘッド３０２Ｂである。また、第二ヘッド取付部２１１Ｂに取り付けられる第二ヘッドの一例は、イエロー、マゼンタ、シアン、ブラック用のカラー印刷用ヘッド２０１Ｂ、又は、イエロー、マゼンタ、シアン、ブラック、及び、白とは異なる色である特定色のインクである特色インク用ヘッド３０１Ｂである。図１１では、キャリッジ２０Ｃの第一ヘッド取付部１１１Ａ，１１１Ｂに、白インク用ヘッド１０１Ａ，１０１Ｂが取り付けられている。また、第二ヘッド取付部２１１Ａ，２１１Ｂに、カラー印刷用ヘッド２０１Ａ，２０１Ｂが取り付けられている。
【００６６】
なお、平坦部３２０が第一ヘッド取付部１１１Ａ、又は、第二ヘッド取付部２１１Ａに取付けられるヘッドの副走査方向の長さよりも副走査方向において長く、第一ヘッド取付部１１１Ａ、又は、第二ヘッド取付部２１１Ａが、第一ヘッド取付部１１１Ａ、又は、第二ヘッド取付部２１１Ａに取付けられるヘッドの副走査方向の長さよりも副走査方向において離れている。第一ヘッド取付部１１１Ｂ、及び第二ヘッド取付部２１１Ｂについても同様である。
【００６７】
図１２は、キャリッジ２０Ｃの第一ヘッド取付部１１１Ａ，１１１Ｂに、白インク用ヘッド１０１Ａ，１０１Ｂが各々取り付けられ、第二ヘッド取付部２１１Ａにカラー印刷用ヘッド２０１Ｂが取り付けられ、第二ヘッド取付部２１１Ｂに特色インク用ヘッド３０１Ｂが取り付けられている状態を示す。図１３は、キャリッジ２０Ｃの第一ヘッド取付部１１１Ａに、抜染インク用ヘッド３０２Ａが取り付けられ、第一ヘッド取付部１１１Ｂに、白インク用ヘッド１０１Ｂが取り付けられ、第二ヘッド取付部２１１Ａ，２１１Ｂに、カラー印刷用ヘッド２０１Ａ，２０１Ｂが各々取り付けられている状態を示す。
【００６８】
図１３は、キャリッジ２０Ｃの第一ヘッド取付部１１１Ａ，１１１Ｂに、抜染インク用ヘッド３０２Ａ，３０２Ｂが各々取り付けられ、第二ヘッド取付部２１１Ａ，２１１Ｂに、カラー印刷用ヘッド２０１Ａ，２０１Ｂが各々取り付けられている状態を示す。
【００６９】
＜キャリッジ２０Ｄの構造＞
図１４を参照して、キャリッジ２０の一例のキャリッジ２０Ｄについて説明する。キャリッジ２０Ｄは、平面視した場合、前後方向に長い矩形である。図１４に示すように、キャリッジ２０Ｄの一番左側、且つ、後方側には、第一ヘッド取付部１１１Ａが設けられている。第一ヘッド取付部１１１Ａには、第一ヘッドが取り付けられている。第一ヘッドの一例は、白インク用ヘッド１０１Ａである。第一ヘッド取付部１１１Ａには、第一ヘッドの下面のノズル面（図示略）を下方に露出させる為の開口部（図示略）と、第一ヘッドを固定するためのねじ穴（図示略）が設けられている。第一ヘッド取付部１１１Ａの前方側には、第二ヘッド取付部２１１Ａが設けられている。第二ヘッド取付部２１１Ａには、第二ヘッドが取り付けられている。第二ヘッドの一例は、カラー印刷用ヘッド２０１Ａである。また、第二ヘッド取付部２１１Ａには、第二ヘッドの下面のノズル面（図示略）を下方に露出させる為の開口部（図示略）と、第二ヘッドを固定するためのねじ穴（図示略）が設けられている。第一ヘッドと第二ヘッドが、主走査方向と直交する副走査方向に、離間して配置されている。離間距離（図１４：Ｌｃ＝ｍ５＋ｍ６＋ｍ７）は、後述する（式１）により求められる値Ｍの３倍以上である。第一ヘッド取付部１１１Ａと、第二ヘッド取付部２１１Ａとの間には、追加ヘッド取付部は設けられていない。
【００７０】
即ち、図１４において、ｍ５〜ｍ７は、追加ヘッド３００相当の仮想ヘッド（一点鎖線）を、２つ副走査方向に一列に、第一ヘッド１０１Ａと第二ヘッド２０１Ａとの間に仮想的に配置した場合の、図５と同様に想定した距離である。図１５において、追加ヘッド３００相当の２つの仮想ヘッド、第一ヘッド１０１Ａ、第二ヘッド２０１Ａは副走査方向に一直線に並び、それらのノズル列も副走査方向に一直線であることを想定している。図１４において、Ｍは、追加ヘッド３００相当の仮想ヘッドに対する第一ヘッド１０１Ａ又は第二ヘッド２０１Ａに関して、Ｌと同様の考えに基づき、Ｌと同様の数式で求めた滲み防止距離である。それら距離の大小関係は、ｍ５≧Ｍ、ｍ６≧Ｍ、ｍ７≧Ｍ、Ｌｃ＝ｍ５+ｍ６＋ｍ７≧３Ｍである。したがって、もし、図１４に示すように、追加ヘッド３００相当の仮想ヘッドを２つ副走査方向に一列に、第一ヘッド１０１Ａと第二ヘッド２０１Ａとの間に配置することになったとしても、追加ヘッド３００相当の仮想ヘッドのインクに関する滲みが防止されている。
【００７１】
また、キャリッジ２０Ｄにおいて、第一ヘッド取付部１１１Ａ、及び、第二ヘッド取付部２１１Ａの右側には、後方側から前方に向けて、第一ヘッド取付部１１１Ｂ、及び、第二ヘッド取付部２１１Ｂが設けられている。第一ヘッド取付部１１１Ｂと、第二ヘッド取付部２１１Ｂとの間には、追加ヘッド取付部は設けられていない。また、第一ヘッド取付部１１１Ｂは、第一ヘッド取付部１１１Ａよりも所定長さ前方にずれて設けられている。また、第二ヘッド取付部２１１Ｂも第二ヘッド取付部２１１Ａよりも所定長さ前方にずれて設けられている。キャリッジ２０Ｄにおいて、第一ヘッド取付部１１１Ｂ、及び、第二ヘッド取付部２１１Ｂの右側には、後方側から前方に向けて、第一ヘッド取付部１１１Ｃ、及び、第二ヘッド取付部２１１Ｃが設けられている。第一ヘッド取付部１１１Ｃと、第二ヘッド取付部２１１Ｃとの間には、追加ヘッド取付部は設けられていない。また、第一ヘッド取付部１１１Ｃは、第一ヘッド取付部１１１Ｂよりも所定長さ前方にずれて設けられている。また、第二ヘッド取付部２１１Ｃも第二ヘッド取付部２１１Ｂよりも所定長さ前方にずれて設けられている。第一ヘッド取付部１１１Ｂ１，１１１Ｃ及び、第二ヘッド取付部２１１Ｂ，２１１Ｃは、各々、第一ヘッド取付部１１１Ａ、及び、第二ヘッド取付部２１１Ａと同様の構造である。第一ヘッド取付部１１１Ａ〜１１１Ｃに取り付けられる第一ヘッドの一例は、白インク用ヘッド１０１Ａ〜１０１Ｃである。また、第二ヘッド取付部２１１Ａ〜２１１Ｃに取り付けられる第二ヘッドの一例は、カラー印刷用ヘッド２０１Ａ〜２０１Ｃである。
【００７２】
＜キャリッジ２０Ｅの構造＞
図１５を参照して、キャリッジ２０の第五実施例のキャリッジ２０Ｅについて説明する。キャリッジ２０Ｅは、平面視した場合、前後方向に長い矩形である。図１５に示すように、キャリッジ２０Ｅの一番左側、且つ、後方側には、第一ヘッド取付部１１１Ａが設けられている。第一ヘッド取付部１１１Ａには、第一ヘッドが取り付けられている。第一ヘッドの一例は、白インク用ヘッド１０１Ａである。第一ヘッド取付部１１１Ａには、第一ヘッドの下面のノズル面（図示略）を下方に露出させる為の開口部（図示略）と、第一ヘッドを固定するためのねじ穴（図示略）が設けられている。キャリッジ２０Ｅの前方側には、第二ヘッド取付部２１１Ａが設けられている。第二ヘッド取付部２１１Ａには、第二ヘッドが取り付けられている。第二ヘッドの一例は、イエロー、マゼンタ、シアン、ブラック用のカラー印刷用ヘッド２０１Ａである。また、第二ヘッド取付部２１１Ａには、第二ヘッドの下面のノズル面（図示略）を下方に露出させる為の開口部（図示略）と、第二ヘッドを固定するためのねじ穴（図示略）が設けられている。第一ヘッドと第二ヘッドが、主走査方向と直交する副走査方向に、離間して配置されている。離間距離（図１５：Ｌｄ＝ｍ８＋ｍ９＋ｍ１０＋ｍ１１）は、後述する（式１）により求められる値Ｍの４倍以上である。第一ヘッド取付部１１１Ａと、第二ヘッド取付部２１１Ａとの間には、追加ヘッド取付部は設けられていない。
【００７３】
即ち、図１５において、ｍ８〜ｍ１１は、追加ヘッド３００相当の仮想ヘッド（一点鎖線）を、３つ副走査方向に一列に、第一ヘッド１０１Ａと第二ヘッド２０１Ａとの間に仮想的に配置した場合の、図５と同様に想定した距離である。図１５において、追加ヘッド３００相当の３つの仮想ヘッド、第一ヘッド１０１Ａ、第二ヘッド２０１Ａは副走査方向に一直線に並び、それらのノズル列も副走査方向に一直線であることを想定している。図１５において、Ｍは、追加ヘッド３００相当の仮想ヘッドに対する第一ヘッド１０１Ａ又は第二ヘッド２０１Ａに関して、Ｌと同様の考えに基づき、Ｌと同様の数式で求めた滲み防止距離である。それら距離の大小関係は、ｍ８≧Ｍ、ｍ９≧Ｍ、ｍ１０≧Ｍ、ｍ１１≧Ｍ、Ｌｄ＝ｍ８+ｍ９＋ｍ１０＋ｍ１１≧４Ｍである。したがって、もし、図１５に示すように、追加ヘッド３００相当の仮想ヘッドを３つ副走査方向に一列に、第一ヘッド１０１Ａと第二ヘッド２０１Ａとの間に配置することになったとしても、追加ヘッド３００相当の仮想ヘッドの滲みが防止されている。
【００７４】
また、キャリッジ２０Ｅにおいて、第一ヘッド取付部１１１Ａ、及び、第二ヘッド取付部２１１Ａの右側には、後方側から前方に向けて、第一ヘッド取付部１１１Ｂ、及び、第二ヘッド取付部２１１Ｂが設けられている。第一ヘッド取付部１１１Ｂと、第二ヘッド取付部２１１Ｂとの間には、追加ヘッド取付部は設けられていない。また、第一ヘッド取付部１１１Ｂは、第一ヘッド取付部１１１Ａよりも所定長さ前方にずれて設けられている。また、第二ヘッド取付部２１１Ｂも第二ヘッド取付部２１１Ａよりも所定長さ前方にずれて設けられている。キャリッジ２０Ｅにおいて、第一ヘッド取付部１１１Ｂ、及び、第二ヘッド取付部２１１Ｂの右側には、後方側から前方に向けて、第一ヘッド取付部１１１Ｃ、及び、第二ヘッド取付部２１１Ｃが設けられている。第一ヘッド取付部１１１Ｃと、第二ヘッド取付部２１１Ｃとの間には、追加ヘッド取付部は設けられていない。また、第一ヘッド取付部１１１Ｃは、第一ヘッド取付部１１１Ｂよりも所定長さ前方にずれて設けられている。また、第二ヘッド取付部２１１Ｃも第二ヘッド取付部２１１Ｂよりも所定長さ前方にずれて設けられている。
【００７５】
第一ヘッド取付部１１１Ｃ、及び、第二ヘッド取付部２１１Ｃの右側には、後方側から前方に向けて、第一ヘッド取付部１１１Ｄ、及び、第二ヘッド取付部２１１Ｄが設けられている。第一ヘッド取付部１１１Ｄと、第二ヘッド取付部２１１Ｄとの間には、追加ヘッド取付部は設けられていない。また、第一ヘッド取付部１１１Ｄは、第一ヘッド取付部１１１Ｃよりも所定長さ前方にずれて設けられている。また、第二ヘッド取付部２１１Ｄも第二ヘッド取付部２１１Ｃよりも所定長さ前方にずれて設けられている。第一ヘッド取付部１１１Ｂ，１１１Ｃ，１１１Ｄ及び、第二ヘッド取付部２１１Ｂ，２１１Ｃ，２１１Ｄは、各々、第一ヘッド取付部１１１Ａ、及び、第二ヘッド取付部２１１Ａと同様の構造である。第一ヘッド取付部１１１Ａ〜１１１Ｄに取り付けられる第一ヘッドの一例は、白インク用ヘッド１０１Ａ〜１０１Ｄである。また、第二ヘッド取付部２１１Ａ〜２１１Ｄに取り付けられる第二ヘッドの一例は、カラー印刷用ヘッド２０１Ａ〜２０１Ｄである。
【００７６】
＜メンテナンスユニット１４５Ａの構造＞
図１６を参照して、キャリッジ２０の一例のキャリッジ２０Ｂに対応したメンテナンスユニット１４５Ａについて説明する。図１６に示すメンテナンスユニット１４５Ａは、図６に示すキャリッジ２０Ｂに対応したものである。メンテナンスユニット１４５Ａは、図３に示す非印刷領域１４０に設けられる。図１６に示すように、メンテナンスユニット１４５Ａは、平面視矩形のベース１４６の上に、左側、且つ、後方側にメンテナンス部１４１Ａが設けられ、左側、且つ、前方側にメンテナンス部１４２Ａが設けられている。メンテナンス部１４１Ａとメンテナンス部１４２Ａとの間は、空きスペース１４３Ａが設けられている。メンテナンス部１４１Ａ，１４２Ａの右側には、メンテナンス部１４１Ｂ，１４２Ｂが設けられている。メンテナンス部１４１Ｂとメンテナンス部１４２Ｂとの間は、空きスペース１４３Ｂが設けられている。メンテナンス部１４１Ｂ，１４２Ｂは、メンテナンス部１４１Ａ，１４２Ａに対して、各々所定長さ前方にずれて設けられている。メンテナンス部１４１Ａ，１４２Ａ，１４１Ｂ，１４２Ｂの構造は、図３に示すメンテナンス部１４１と同じである。
【００７７】
＜メンテナンスユニット１４５Ｂの構造＞
図１７を参照して、キャリッジ２０の一例のキャリッジ２０Ｂに対応したメンテナンスユニット１４５Ｂについて説明する。図１７に示すメンテナンスユニット１４５Ｂは、図７に示すキャリッジ２０Ｂに対応したものである。メンテナンスユニット１４５Ｂは、図３に示す非印刷領域１４０に設けられる。図１７に示すように、メンテナンスユニット１４５Ｂは、平面視矩形のベース１４６の上に、左側、且つ、後方側から前方に向けて、メンテナンス部１４１Ａ，１４４Ａ，１４２Ａが設けられている。メンテナンス部１４１Ａ，１４４Ａ，１４２Ａの右側には、後方側から前方に向けて、メンテナンス部１４１Ｂ，１４４Ｂ，１４２Ｂが設けられている。メンテナンス部１４１Ｂ，１４４Ｂ，１４２Ｂは、メンテナンス部１４１Ａ，１４４Ａ，１４２Ａに対して、各々所定長さ前方にずれて設けられている。メンテナンス部１４１Ａ，１４４Ａ，１４２Ａ，１４１Ｂ，１４４Ｂ，１４２Ｂの構造は、図３に示すメンテナンス部１４１と同じである。メンテナンス部１４４Ａ，１４４Ｂは、ヘッドの数が増えたことにより、図３に示す空きスペース１４３に対して増設されたものである。
【００７８】
＜インク流路７０Ａの構造＞
図１８を参照して、カートリッジ３０からインクをヘッドに供給するインク流路７０Ａの構造について説明する。インク流路７０Ａは、図６に示すキャリッジ２０Ｂに対応したものである。装着部３には、Ｙ，Ｍ，Ｃ，Ｋ，Ｗのカートリッジ３０が装着される。装着部３の使用されない収容部３１には、蓋３２が設けられている。Ｙ，Ｍ，Ｃ，Ｋのカートリッジ３０には、チューブ７１の一端部が接続する。チューブ７１は、Ｙ，Ｍ，Ｃ，Ｋの各色のチューブをまとめた状態を示す。チューブ７１は、途中でチューブ７１Ａ，７１Ｂに分岐する。チューブ７１Ａの他端部は、カラー印刷用ヘッド２０１Ａに接続し、チューブ７１Ｂの他端部は、カラー印刷用ヘッド２０１Ｂに接続する。また、Ｗのカートリッジ３０には、チューブ７２の一端部が接続する。チューブ７２は、途中でチューブ７２Ａ，７２Ｂに分岐する。チューブ７２Ａの他端部は、白インク用ヘッド１０１Ａに接続し、チューブ７２Ｂの他端部は、白インク用ヘッド１０１Ｂに接続する。
【００７９】
＜インク流路７０Ｂの構造＞
図１９を参照して、インク流路７０Ｂの構造について説明する。インク流路７０Ｂは、図７に示すキャリッジ２０Ｂに対応したものである。装着部３には、Ｙ，Ｍ，Ｃ，Ｋ，Ｗのカートリッジ３０（図示略）及び、特色インクＳ１，Ｓ２，Ｓ３，Ｓ４のカートリッジ３０（図示略）が接続される。特色インクＳ１，Ｓ２，Ｓ３，Ｓ４は、同じ色でも、異なる色でも良い。Ｙ，Ｍ，Ｃ，Ｋのカートリッジ３０（図示略）には、チューブ７１の一端部が接続されている。チューブ７１は、Ｙ，Ｍ，Ｃ，Ｋの各色のチューブをまとめた状態を示す。チューブ７１は、途中でチューブ７１Ａ，７１Ｂに分岐する。チューブ７１Ａの他端部は、カラー印刷用ヘッド２０１Ａに接続され、チューブ７１Ｂの他端部は、カラー印刷用ヘッド２０１Ｂに接続される。また、Ｗのカートリッジ３０（図示略）には、チューブ７２の一端部が接続されている。チューブ７２は、途中でチューブ７２Ａ，７２Ｂに分岐する。チューブ７２Ａの他端部は、白インク用ヘッド１０１Ａに接続され、チューブ７２Ｂの他端部は、白インク用ヘッド１０１Ｂに接続される。
【００８０】
また、特色インクＳ１〜Ｓ４のカートリッジ３０（図示略）には、チューブ７４の一端部が接続されている。チューブ７４は、特色インクＳ１〜Ｓ４のチューブをまとめた状態を示す。チューブ７４は、途中でチューブ７４Ａ，７４Ｂに分岐する。チューブ７４Ａの他端部は、特色インク用ヘッド３０１Ａに接続され、チューブ７４Ｂの他端部は、特色インク用ヘッド３０１Ｂに接続される。チューブ７４は特色インクＳ１〜Ｓ４と４つのカートリッジ３０に対応するように構成されている。チューブ７４は１つから最大４つまでの特色インクＳ１〜Ｓ４のカートリッジ３０を印刷内容や特色インクＳ１〜Ｓ４の色彩に応じて選択的に用いればよい。同じ色の特色インクＳ１〜Ｓ４のカートリッジ３０を複数装着し、複数のカートリッジ３０から同時又は切り替えで特色インクＳ１〜Ｓ４を単独の特色インク用ヘッド３０１Ａ，３０１Ｂに供給するようにしても良い。未使用のチューブ７４の特色インクＳ１〜Ｓ４の流路は、使用しているチューブ７４に影響がないように開閉弁（図略）が設けられている。
【００８１】
＜インク流路７０Ｃの構造＞
図２０を参照して、インク流路７０Ｃの構造について説明する。インク流路７０Ｃは、図８に示すキャリッジ２０Ｂに対応したものである。装着部３には、Ｙ，Ｍ，Ｃ，Ｋ，Ｗのカートリッジ３０（図示略）及び、抜染インクのカートリッジ３０（図示略）が接続される。装着部３の使用されない収容部３１には、蓋３２が設けられている。Ｙ，Ｍ，Ｃ，Ｋのカートリッジ３０（図示略）には、チューブ７１の一端部が接続されている。チューブ７１は、Ｙ，Ｍ，Ｃ，Ｋの各色のチューブをまとめた状態を示す。チューブ７１は、途中でチューブ７１Ａ，７１Ｂに分岐する。チューブ７１Ａの他端部は、カラー印刷用ヘッド２０１Ａに接続され、チューブ７１Ｂの他端部は、カラー印刷用ヘッド２０１Ｂに接続される。また、Ｗのカートリッジ３０（図示略）には、チューブ７２の一端部が接続されている。チューブ７２は、途中でチューブ７２Ａ，７２Ｂに分岐する。チューブ７２Ａの他端部は、白インク用ヘッド１０１Ａに接続され、チューブ７２Ｂの他端部は、白インク用ヘッド１０１Ｂに接続される。また、抜染インク（Ｄ）のカートリッジ３０（図示略）には、チューブ７３の一端部が接続されている。チューブ７３は、途中でチューブ７３Ａ，７３Ｂに分岐する。チューブ７３Ａの他端部は、抜染インク用ヘッド３０２Ａに接続され、チューブ７３Ｂの他端部は、抜染インク用ヘッド３０２Ａに接続される。
【００８２】
＜滲みが発生しない先頭ノズル間距離Ｌ＞
以下、図５を参照して、滲みが発生しない先頭ノズル間距離Ｌについて説明する。図５に示すキャリッジ２０Ａの第一ヘッド（下地印刷用ヘッド１００（Ｗ））の後端側の先頭ノズル（図示外）が印刷した部分に第二ヘッド（カラー印刷用ヘッド２００（Ｃ））の先頭ノズルが印刷するまでの時間Ｔｐｗとすると、
Ｌ：先頭ノズル間距離、即ち、第一ヘッド（下地印刷用ヘッド１００（Ｗ））の後端側の先頭ノズル（図示外）と、第二ヘッド（カラー印刷用ヘッド２００（Ｃ））の先頭ノズルとの距離、
Ｔｐｗ：前記第一ヘッドの先頭ノズルが印刷した部分に前記第二ヘッドのノズルが印刷するまでの時間、
Ｔｃｒ：主走査の合計時間、
Ｔｗ：ウエイト時間、
Ｃｗ：プラテン送り回数
Ｌｎ：副走査方向におけるノズル列の長さ（以下、「ノズル長」とも言う。）
Ｉｎ：インターレースの回数
とした場合に
Ｔｐｗ＝（主走査の合計時間＋ウエイト時間）・（先頭ノズル間距離／ノズル長）・インターレース回数
従って、Ｔｐｗ＝（Ｔｃｒ＋Ｔｗ）・Ｃｗ＝（Ｔｃｒ＋Ｔｗ）・（Ｌ／Ｌｎ）・Ｉｎ
ここで、Ｃｗ＝（Ｌ／Ｌｎ）・Ｉｎを上記の式に代入して、Ｌについてまとめると、
Ｌ＝（Ｔｐｗ・Ｌｎ）／（（Ｔｃｒ＋Ｔｗ）・Ｉｎ）・・・（式１）
従って、滲みが発生しない為には、
Ｌ≧（Ｔｐｗ・Ｌｎ）／（（Ｔｃｒ＋Ｔｗ）・Ｉｎ）・・・（式２）
であることが望ましい。
なお、上述した考えは、第一ヘッド１００と第二ヘッド２００の間に配置される追加ヘッド３００に対して、滲み防止のために適用しても良い。
【００８３】
＜インク量設定処理＞
図４及び図２１を参照して、インク量の設定処理について説明する。ＣＰＵ４０は、操作部４７、又は、プリンタ１に接続されているからＰＣ等の端末装置からインク量の設定の指示が有った場合には（Ｓ１１：ＹＥＳ）、下地印刷用ヘッドの種類を検出する（Ｓ１２）。ＣＰＵ４０は、インク量の設定の指示が有ったと判断しない場合には（Ｓ１１：ＮＯ）、処理をＳ１１に戻す。ＣＰＵ４０は、ヘッドセンサ３４が検出した下地印刷用ヘッド取付部１１０に取り付けられた下地印刷用ヘッドの種類を検出し、抜染インク用ヘッド３０２を検出した場合には（Ｓ１３：ＹＥＳ）、インク量減少処理を行う（Ｓ１４）。ＣＰＵ４０は、インク量減少処理において、特色インクによる印刷、又は、カラー印刷におけるインク量を下地印刷用ヘッドが抜染インク用ヘッド３０２でない場合に比べて、減少するフラグをＲＡＭ４２に記憶する。ＣＰＵ４０は、抜染インク用ヘッド３０２を検出しない場合には（Ｓ１３：ＮＯ）、インク量設定処理を終了する。
【００８４】
＜ヘッド設定処理＞
図４及び図２２を参照して、ヘッド設定処理について説明する。例えば、ヘッド設定処理は、図１１に示すように、２つの白インク用ヘッド１０１Ａ，１０１Ｂ、及び、２つのカラー印刷用ヘッド２０１Ａ，２０１Ｂが取り付けられている場合、図１２に示すように、２つの抜染インク用ヘッド３０２Ａ，３０２Ｂ、及び、２つのカラー印刷用ヘッド２０１Ａ，２０１Ｂが取り付けられている場合に、２つの同じ種類のヘッドからインクを吐出するか、２つの同じ種類のヘッドを使用するかを設定する処理である。
【００８５】
ＣＰＵ４０は、操作部４７、又は、プリンタ１に接続されているからＰＣ等の端末装置からヘッド設定処理の指示が有った場合には（Ｓ２１：ＹＥＳ）、下地印刷用ヘッド設定の指示が有ったかを判断する（Ｓ２２）。ＣＰＵ４０は、下地印刷用ヘッド設定の指示だと判断した場合には（Ｓ２２：ＹＥＳ）、下地印刷用ヘッドを複数使うのか１つ使うのかを選択する画面を操作部４７のディスプレイ４９、又は、ＰＣ等の端末装置に表示する。ユーザが、下地印刷用ヘッドを複数使うことを選択した場合には、下地印刷用ヘッドを複数使用することを示すフラグをＲＡＭ４２に記憶する（Ｓ２３）。また、ユーザが、下地印刷用ヘッドを１つ使うことを選択した場合には、下地印刷用ヘッドを１つ使用することを示すフラグをＲＡＭ４２に記憶する（Ｓ２３）。
【００８６】
また、ＣＰＵ４０は、下地印刷用ヘッド設定の指示だと判断せず（Ｓ２２：ＮＯ）、カラー印刷用ヘッドの設定の指示だと判定した場合には（Ｓ２４：ＹＥＳ）、カラー印刷用ヘッドを複数使うのか１つ使うのかを選択する画面を操作部４７のディスプレイ４９、又は、ＰＣ等の端末装置に表示する。ユーザが、カラー印刷用ヘッドを複数使うことを選択した場合には、カラー印刷用ヘッドを複数使用することを示すフラグをＲＡＭ４２に記憶する（Ｓ２３）。また、ユーザが、カラー印刷用ヘッドを１つ使うことを選択した場合には、カラー印刷用ヘッドを１つ使用することを示すフラグをＲＡＭ４２に記憶する（Ｓ２３）。ＣＰＵ４０は、下地印刷用ヘッド設定の指示だと判断せず（Ｓ２２：ＮＯ）、カラー印刷用ヘッドの設定の指示だと判定しない場合には（Ｓ２４：ＮＯ）、ヘッド設定処理を終了する。
【００８７】
＜印刷処理＞
図４及び図２３を参照して、印刷処理について説明する。ＣＰＵ４０は、操作部４７、又は、プリンタ１に接続されているからＰＣ等の端末装置から印刷処理の指示が有った場合には（Ｓ３１：ＹＥＳ）、ヘッド設定を読み込む（Ｓ３２）。ＣＰＵ４０は、ヘッド設定処理でＲＡＭ４２に記憶したフラグに基づいて、２つの同じ種類のヘッドを使用するか、２つの同じ種類のヘッドの内、１つを使用するかを読み込む。次いで、ＣＰＵ４０は、Ｓ３２で読み込んだヘッド設定に変更が要るかを判断する（Ｓ３３）。例えば、ＣＰＵ４０は、２つの同じ種類のヘッドを使用する設定の場合でも、一方のヘッドに不具合が有ると判断する場合には（Ｓ３３：ＹＥＳ）、ヘッド設定の変更を行う（Ｓ３４）。ヘッドの不具合の一例は、ノズルの詰まり等である。ＣＰＵ４０は、ヘッド設定に変更が要ると判断しない場合には（Ｓ３３：ＮＯ）、設定通りで印刷を行う（Ｓ３５）。ＣＰＵ４０は、ヘッド設定の変更（Ｓ３４）において、２つの同じ種類のヘッドを使用する設定から一方のヘッドを使用する設定に変更した場合には、変更後の設定で印刷を行う（Ｓ３６）。
【００８８】
図２５、図２６を参照して、白インクを吐出する白インク用ヘッド１０１Ａ，１０１Ｂ、及び、カラー印刷用ヘッド２０１Ａ，２０１Ｂを備えたキャリッジ２０Ｃによる印刷処理の第一実施例について説明する。図２５に示す位置Ｐ１，Ｐ２，Ｐ３，Ｐ４に囲まれる矩形の領域Ａ１が下地印刷の必要な領域である。図２５に示すように、ＣＰＵ４０は、白インク用ヘッド１０１Ａによる下地印刷開始位置である位置Ｐ３を含む走査位置Ｌ２にプラテン５を移動する。次いで、ＣＰＵ４０は、位置Ｐ３から下地印刷が必要な領域Ａ１に対してキャリッジ２０Ｃを左右方向に往復動させて、白インク用ヘッド１０１Ａのノズル６１（図２４参照）から白インクを吐出して下地印刷を開始する。ＣＰＵ４０は、順次前方（矢印Ａ方向）にプラテン５を移動させると共に、キャリッジ２０Ｃを左右方向に往復動させ、白インク用ヘッド１０１Ａ，１０１Ｂにより下地印刷を行う。
【００８９】
次いで、図２６に示す状態から、キャリッジ３０Ｃが右方向に移動し、位置Ｐ３にカラー印刷用ヘッド２０１Ａのノズル列６２（図２４参照）の前端が対向した場合には、ＣＰＵ４０は、カラー印刷用ヘッド２０１Ａからカラーインクの吐出を開始する。次いで、ＣＰＵ４０は、位置Ｐ３にカラー印刷用ヘッド２０１Ｂのノズル列６２（図２４参照）の前端が対向した場合には、カラー印刷用ヘッド２０１Ｂからカラーインクの吐出を開始する。従って、図２６に示すように、ＣＰＵ４０は、下地用の白インク、及び、カラーのインクによる印刷媒体への同一走査（同一の主走査）において共に印刷を実行する。
【００９０】
なお、上記実施形態では、複数のヘッドのインクに関する吐出が同時であれば、同時ではない場合より印刷時間は短くなる。上記実施形態における複数のヘッドによる「同一走査において共に印刷」とは、複数のヘッドが同じ領域に同時刻にインクを吐出することではない。複数のヘッドがインクを吐出する領域はヘッド毎に別である。「同一走査において共に印刷」とは、それぞれのヘッドがそれぞれの対向する領域に対して、１つの走査（主走査方向移動）の間にインクを吐出することをいう。すなわち、複数のヘッドがインクを吐出する時期は同一であることが望ましいが、電源や制御の都合上、ヘッド毎に別にずらしてもよい。
【００９１】
次いで、ＣＰＵ４０は、白インク用ヘッド１０１Ａ，１０１Ｂにより位置Ｐ２まで白インクの吐出が完了したときに、白インク用ヘッド１０１Ａ，１０１Ｂからの白インクの吐出を終了する。また、ＣＰＵ４０は、カラー印刷用ヘッド２０１Ａ，２０１Ｂにより位置Ｐ２までカラーインクの吐出が完了したときに、カラー印刷用ヘッド２０１Ａ，２０１Ｂからのカラーインクの吐出を終了する。
【００９２】
図２７、図２８を参照して、抜染インク用ヘッド３０２Ａ，３０２Ｂ、カラー印刷用ヘッド２０１Ａ，２０１Ｂを備えたキャリッジ２０Ｃによる印刷処理の第二実施例について説明する。図２７に示すように、ＣＰＵ４０は、抜染インク用ヘッド３０２Ａによる抜染開始位置である位置Ｐ１を含む走査位置Ｌ１にプラテン５を移動した後、キャリッジ２０Ｃを右方向に移動させ、抜染が必要な領域Ａ１に対して抜染インク用ヘッド３０２Ａのノズル６１（図２４参照）から抜染インクを吐出して抜染印刷を開始する。従って、ＣＰＵ４０は、抜染印刷をプラテン５を前側から後側（矢印Ｂ方向）に移動させて行う。ＣＰＵ４０は、順次後方（矢印Ｂ方向）にプラテン５を移動させると共に、キャリッジ２０Ｃを左右方向に往復動させ、抜染インク用ヘッド３０２Ａ、３０２Ｂによって抜染印刷を行う。ＣＰＵ４０は、位置Ｐ４まで抜染インクの吐出が完了したときに、抜染インク用ヘッド３０２Ａ、３０２Ｂからの抜染インクの吐出を終了する。
【００９３】
次いで、ＣＰＵ４０は、図２８の矢印Ａ方向（前方）にプラテン５を移動する。次いで、図２８に示す状態から、キャリッジ２０Ｃが右方に移動し、位置Ｐ３を含むに走査位置にカラー印刷用ヘッド２０１Ａのノズル列６２（図２４参照）の前端が来るようにプラテン５を移動する。次いで、図２８に示す状態から、キャリッジ２０Ｃが右方に移動し、位置Ｐ３にカラー印刷用ヘッド２０１Ａのノズル列６２（図２４参照）の前端が対向した場合には、ＣＰＵ４０は、カラー印刷用ヘッド２０１Ａからカラーインクの吐出を開始する。次いで、ＣＰＵ４０は、位置Ｐ３にカラー印刷用ヘッド２０１Ｂのノズル列６２（図２４参照）の前端が対向した場合には、カラー印刷用ヘッド２０１Ｂからカラーインクの吐出を開始する。従って、ＣＰＵ４０は、抜染インクが吐出され抜染された領域Ａ１にカラーのインクによる印刷媒体への同一走査（同一の主走査）において共に印刷を実行する。ＣＰＵ４０は、位置Ｐ２までカラーインクの吐出が完了したときに、カラー印刷用ヘッド２０１Ａ，２０１Ｂからのカラーインクの吐出を終了する。ＣＰＵ４０は、印刷済の印刷媒体の取り出しの為、プラテン５を前方（矢印Ａ方向）に移動する。また、キャリッジ２０Ａは、左方向に移動して待機位置に戻る。
【００９４】
図２９〜図３０を参照して、抜染インク用ヘッド３０２Ａ，白インク用ヘッド１０１Ｂ、カラー印刷用ヘッド２０１Ａ，２０１Ｂを備えたキャリッジ２０Ｃによる印刷処理の第三実施例について説明する。図２９に示すように、ＣＰＵ４０は、抜染インク用ヘッド３０２Ａによる抜染開始位置である位置Ｐ１を含む走査位置Ｌ１にプラテン５を移動した後、キャリッジ２０Ｃを右方向に移動させ、抜染が必要な領域Ａ１に対して抜染インク用ヘッド３０２Ａのノズル６１（図２４参照）から抜染インクを吐出して抜染印刷を開始する。従って、ＣＰＵ４０は、抜染印刷をプラテン５を前側から後側（矢印Ｂ方向）に移動させて行う。ＣＰＵ４０は、順次後方（矢印Ｂ方向）にプラテン５を移動させると共に、キャリッジ２０Ｃを左右方向に往復動させ、抜染インク用ヘッド３０２Ａによって抜染印刷を行う。ＣＰＵ４０は、位置Ｐ４まで抜染インクの吐出が完了したときに、抜染インク用ヘッド３０２Ａからの抜染インクの吐出を終了する。
【００９５】
次いで、ＣＰＵ４０は、図２８の矢印Ａ方向（前方）にプラテン５を移動する。次いで、図３０に示す状態から、キャリッジ２０Ｃが右方に移動し、位置Ｐ３を含むに走査位置に白インク用ヘッド１０１Ｂのノズル列６２（図２４参照）の前端が来るようにプラテン５を移動する。次いで、図３０に示す状態から、キャリッジ２０Ｃが右方に移動し、位置Ｐ３に白インク用ヘッド１０１Ｂのノズル列６２（図２４参照）の前端が対向した場合には、ＣＰＵ４０は、白インク用ヘッド１０１Ｂから白インクの吐出を開始する。次いで、ＣＰＵ４０は、白インク用ヘッド１０１Ｂにより位置Ｐ２まで白インクの吐出が完了したときに、白インク用ヘッド１０１Ｂからの白インクの吐出を終了する。
【００９６】
次いで、図３１に示すように、ＣＰＵ４０は、位置Ｐ３にカラー印刷用ヘッド２０１Ａのノズル列６２（図２４参照）の前端が対向した場合には、ＣＰＵ４０は、カラー印刷用ヘッド２０１Ａからカラーインクの吐出を開始する。次いで、ＣＰＵ４０は、位置Ｐ３にカラー印刷用ヘッド２０１Ｂのノズル列６２（図２４参照）の前端が対向した場合には、カラー印刷用ヘッド２０１Ｂからカラーインクの吐出を開始する。従って、ＣＰＵ４０は、抜染インクが吐出され抜染された領域Ａ１にカラーのインクによる印刷媒体への同一走査（同一の主走査）において共に印刷を実行する。ＣＰＵ４０は、位置Ｐ２までカラーインクの吐出が完了したときに、カラー印刷用ヘッド２０１Ａ，２０１Ｂからのカラーインクの吐出を終了する。ＣＰＵ４０は、印刷済の印刷媒体の取り出しの為、プラテン５を前方（矢印Ａ方向）に移動する。また、キャリッジ２０Ａは、左方向に移動して待機位置に戻る。
【００９７】
図３０〜図３３を参照して、抜染インク用ヘッド３０２Ａ，白インク用ヘッド１０１Ｂ、カラー印刷用ヘッド２０１Ａ，２０１Ｂを備えたキャリッジ２０Ｃによる印刷処理の第四実施例について説明する。第四実施例では、プラテン５が後側から前側（矢印Ａ方向）へ搬送される一方向の動作で、抜染インク、白インク、カラーインクによる印刷動作が行われる。図３２に示すように、ＣＰＵ４０は、抜染インク用ヘッド３０２Ａによる抜染開始位置である位置Ｐ３を含む走査位置Ｌ２にプラテン５を移動した後、キャリッジ２０Ｃを右方向に移動させ、抜染が必要な領域Ａ１に対して抜染インク用ヘッド３０２Ａのノズル６１（図２４参照）から抜染インクを吐出して抜染印刷を開始する。従って、ＣＰＵ４０は、抜染印刷をプラテン５を後側から前側（矢印Ａ方向）に移動させて行う。ＣＰＵ４０は、順次前方（矢印Ａ方向）にプラテン５を移動させると共に、キャリッジ２０Ｃを左右方向に往復動させ、抜染インク用ヘッド３０２Ａによって抜染印刷を行う。
【００９８】
次いで、ＣＰＵ４０は、図３０に示す状態から、キャリッジ２０Ｃが右方に移動し、位置Ｐ３を含むに走査位置に白インク用ヘッド１０１Ｂのノズル列６２（図２４参照）の前端が来るようにプラテン５を移動する。次いで、図３０に示す状態から、キャリッジ２０Ｃが右方に移動し、位置Ｐ３に白インク用ヘッド１０１Ｂのノズル列６２（図２４参照）の前端が対向した場合には、ＣＰＵ４０は、白インク用ヘッド１０１Ｂから白インクの吐出を開始する。次いで、ＣＰＵ４０は、位置Ｐ４まで抜染インクの吐出が完了したときに、抜染インク用ヘッド３０２Ａからの抜染インクの吐出を終了する。また、ＣＰＵ４０は、白インク用ヘッド１０１Ｂにより位置Ｐ２まで白インクの吐出が完了したときに、白インク用ヘッド１０１Ｂからの白インクの吐出を終了する。
【００９９】
次いで、図３１に示すように、ＣＰＵ４０は、位置Ｐ３にカラー印刷用ヘッド２０１Ａのノズル列６２（図２４参照）の前端が対向した場合には、ＣＰＵ４０は、カラー印刷用ヘッド２０１Ａからカラーインクの吐出を開始する。次いで、ＣＰＵ４０は、位置Ｐ３にカラー印刷用ヘッド２０１Ｂのノズル列６２（図２４参照）の前端が対向した場合には、カラー印刷用ヘッド２０１Ｂからカラーインクの吐出を開始する。従って、ＣＰＵ４０は、領域Ａ１に、抜染インク、白インク、及び、カラーのインクによる印刷媒体への同一走査（同一の主走査）において共に印刷を実行する。ＣＰＵ４０は、位置Ｐ２までカラーインクの吐出が完了したときに、カラー印刷用ヘッド２０１Ａ，２０１Ｂからのカラーインクの吐出を終了する。図３３は、カラーインクでの印刷完了位置にあるプラテン５を通過したキャリッジ２０Ｃの位置関係を示す図である。図３３に示すように、ＣＰＵ４０は、印刷済の印刷媒体の取り出しの為、プラテン５を前方（矢印Ａ方向）に移動する。また、キャリッジ２０Ａは、左方向に移動して待機位置に戻る。
【０１００】
＜実施形態のプリンタ１の作用効果＞
上記実施形態のプリンタ１では、白インク用ヘッド１０１Ａ，１０１Ｂ又は抜染インク用ヘッド３０２Ａ，３０２Ｂが第一ヘッド取付部１１１Ａに選択的に取り付け取付け可能であり、カラー印刷用ヘッド２０１Ａ，２０１Ｂが選択的に第二ヘッド取付部２１１Ａ，２１１Ｂ色彩印刷用ヘッド取付部に取付け可能である。従って、白インク用ヘッド１０１Ａ，１０１Ｂ又は抜染インク用ヘッド３０２Ａ，３０２Ｂによって印刷し、印刷を止めずに、カラー印刷用ヘッド２０１Ａ，２０１Ｂによる印刷がされても、白インク用ヘッド１０１Ａ，１０１Ｂ又は抜染インク用ヘッド３０２Ａ，３０２Ｂによる印刷の乾燥時間を確保して、良好な印刷をすることができる。
【０１０１】
また、プリンタ１では、前記２つの下地印刷用ヘッド取付部または前記２つの色彩印刷用ヘッド取付部の少なくとも一方には、２つの同じ種類のヘッドが取付けられてもよい。この場合、走査方向におけるインク量を増やすことができる。
【０１０２】
また、前記２つの下地印刷用ヘッド取付部または前記２つの色彩印刷用ヘッド取付部の少なくとも一方には、異なる種類のヘッドが取付けられてもよい。この場合、２つとも同じヘッドが取付けられている場合に比べて、多様な印刷に適用できる。
【０１０３】
また、プリンタ１では、第一ヘッド取付部１１１Ａ，１１１Ｂと第二ヘッド取付部２１１Ａ，２１１Ｂが主走査方向に直交する方向に離間して配置され、第一ヘッド取付部１１１Ａ，１１１Ｂと第二ヘッド取付部２１１Ａ，２１１Ｂの間に、平坦な平坦部３２０が設けられている。従って、第一ヘッド取付部１１１Ａ，１１１Ｂと第二ヘッド取付部２１１Ａ，２１１Ｂの間に別のヘッドが設けられていない。第一ヘッド取付部１１１Ａ，１１１Ｂに取付けられたヘッドによる印刷部分が第二ヘッド取付部２１１Ａ，２１１Ｂに取付けられたヘッドからのインクに接触するまでの時間が長くなり、第一ヘッド取付部１１１Ａ，１１１Ｂに取付けられたヘッドによる印刷部分が第二ヘッド取付部２１１Ａ，２１１Ｂに取付けられたヘッドからのインクによって滲む可能性が低減している。
【０１０４】
また、プリンタ１では、第一ヘッド取付部１１１Ａ，１１１Ｂと第二ヘッド取付部２１１Ａ，２１１Ｂに取り付けられるヘッドに対応して、空きスペース１４３Ａ，１４３Ｂにメンテナンス機構、インク流路を取り付けることができる
【０１０５】
また、プリンタ１では、下地印刷用ヘッドが吐出するインク及び、カラーのインクよる印刷媒体への同一走査において共に印刷を実行することができる。従って、下地印刷用インク、カラーのインクの順に別の相対的な走査において印刷を行うものに対して印刷時間が短縮できる。
【０１０６】
また、プリンタ１では、下地印刷用ヘッドが吐出するインクによって印刷された印刷媒体の領域に対して、カラーのインクによる印刷媒体への印刷を実施することができる。
【０１０７】
また、プリンタ１では、抜染インクによって抜染印刷された印刷媒体の領域に対して、カラーインクによる印刷媒体への印刷を実施することができる。
【０１０８】
また、プリンタ１では、ＣＰＵ４０の制御により、白インク用ヘッド１０１Ａ，１０１Ｂ又は抜染インク用ヘッド３０２Ａ，３０２Ｂが第一ヘッド取付部１１１Ａに選択的に取り付け取付け可能であり、カラー印刷用ヘッド２０１Ａ，２０１Ｂが選択的に第二ヘッド取付部２１１Ａ，２１１Ｂ色彩印刷用ヘッド取付部に取付け可能である。従って、白インク用ヘッド１０１Ａ，１０１Ｂ又は抜染インク用ヘッド３０２Ａ，３０２Ｂによって印刷し、印刷を止めずに、カラー印刷用ヘッド２０１Ａ，２０１Ｂによる印刷がされても、白インク用ヘッド１０１Ａ，１０１Ｂ又は抜染インク用ヘッド３０２Ａ，３０２Ｂによる印刷の乾燥時間を確保して、良好な印刷をすることができる。
【０１０９】
また、プリンタ１では、２つの前記白インク用ヘッドからの白インクを同一走査において共に吐出できるので、被印刷対象に合わせて、主走査方向でのインクの吐出量を調整することができる。
【０１１０】
また、プリンタ１では、主走査方向での被印刷対象に吐出される白インクの吐出量を１つの白インク用ヘッドから吐出する場合に比べて、増やすことができる。
【０１１１】
また、プリンタ１では、２つの抜染用ヘッドからの抜染インクを同一走査において共に吐出主走査方向での被印刷対象に吐出できるので、抜染インクの吐出量を１つの抜染インク用ヘッドから吐出する場合に比べて、増やすことができる。
【０１１２】
また、プリンタ１では、前記白インク用ヘッド、及び、前記抜染用ヘッドからの各インクを同一走査において共に吐出できるので、抜染インク、白インクの順に別の相対的な走査において印刷を行うものに対して印刷時間が短縮できる。
【０１１３】
また、プリンタ１では、２つの前記色彩印刷用ヘッドからの前記カラーインクを同一走査において共に吐出できるので、２つの色彩印刷用ヘッドからのカラーインクの吐出を各々別の相対的な走査において印刷を行うものに対して印刷時間が短縮できる。
【０１１４】
また、プリンタ１では、被印刷対象に合わせ、下地印刷用ヘッドを２つ又は１つ使用するか、カラー印刷用ヘッドを２つ又は１つ使用するかを選択することができる。
【０１１５】
また、プリンタ１では、白インク用ヘッド１０１Ａ，１０１Ｂ又は抜染インク用ヘッド３０２Ａ，３０２Ｂ、及び、カラー印刷用ヘッド２０１Ａ，２０１Ｂが走査により印刷を行うことができる。
【０１１６】
また、プリンタ１では、白インク用ヘッド１０１Ａ，１０１Ｂ又は抜染インク用ヘッド３０２Ａ，３０２Ｂのノズル列、カラー印刷用ヘッド２０１Ａ，２０１Ｂのノズル列が一直線上または平行になるように、白インク用ヘッド１０１Ａ，１０１Ｂ又は抜染インク用ヘッド３０２Ａ，３０２Ｂ、カラー印刷用ヘッド２０１Ａ，２０１Ｂが取り付けられるので、白インク用ヘッド１０１Ａ，１０１Ｂ又は抜染インク用ヘッド３０２Ａ，３０２Ｂ、カラー印刷用ヘッド２０１Ａ，２０１が主走査方向へ走査されて印刷を行うことができる。
【０１１７】
また、プリンタ１では、Ｌ≧（Ｔｐｗ・Ｌｎ）／（（Ｔｃｒ＋Ｔｗ）・Ｉｎ）の条件を満たす場合には、第一ヘッド取付部１１１Ａ，１１１Ｂに取付けられたヘッドの吐出と第二ヘッド取付部２１１Ａ，２１１Ｂに取付けられたヘッドの吐出との間に、ウエイト時間を設ける必要がなく、ウエイト時間を設ける場合に対して印刷時間を短縮することができる。
【０１１８】
また、プリンタ１では、白インク用ヘッド１０１Ａ，１０１Ｂ又は抜染インク用ヘッド３０２Ａ，３０２Ｂ、及び、カラー印刷用ヘッド２０１Ａ，２０１Ｂが１つのキャリッジの走査により走査される。
【０１１９】
また、プリンタ１では、平坦部３２０に、追加ヘッド取り付け部を設けることができる。従って、追加ヘッド取付部に抜染インクを吐出するヘッド、又は、特色インクを吐出するヘッドを選択的に追加ヘッドとして取り付けて、多様な印刷に対応することができる。また、追加ヘッドが未装着の場合、下地印刷用ヘッドから吐出された液に対する乾燥時間を確保して、良好な印刷を迅速に行うことができる。
【０１２０】
また、プリンタ１では、追加ヘッドは、印刷媒体の色を抜く抜染インク、または、前記下地印刷用ヘッドが吐出するインク及び前記カラーのインクとも異なる特色インクの少なくとも一方のインクを吐出しするので、追加ヘッド取付部３１０Ａ，３１０Ｂに選択的に追加ヘッドを取り付けて、多様な印刷に対応することができる。また、追加ヘッドが未装着の場合、下地印刷用ヘッドから吐出された液に対する乾燥時間を確保して、良好な印刷を迅速に行うことができる。
【０１２１】
プリンタ１が本発明の「インクジェットプリンタ」の一例である。下地印刷用ヘッド１００及び白インク用ヘッド１０１Ａ〜１０１Ｄが本発明の「白インク用ヘッド」の一例である。カラー印刷用ヘッド２００及びカラー印刷用ヘッド２０１Ａ〜２０１Ｄが本発明の「色彩印刷用ヘッド」の一例である。追加ヘッド３００、特色インク用ヘッド３０１、特色インク用ヘッド３０１Ａ，３０１Ｂが本発明の「特色ヘッド」の一例である。下地印刷用ヘッド取付部１１０、第一ヘッド取付部１１１Ａ〜１１１Ｄが本発明の「下地印刷用ヘッド取付部」の一例である。第二ヘッド取付部２１１Ａ〜２１１Ｄが本発明の「色彩印刷用ヘッド取付部」の一例である。特色インク用ヘッド３０１、及び抜染インク用ヘッド３０２が本発明の「追加ヘッド」の一例である。ＣＰＵ４０が本発明の「制御部」の一例である。カラー印刷用ヘッド２００が吐出するイエロー、マゼンタ、シアン、ブラックの内の２色のインクが、本発明の「２色のインク」の一例である。駆動モータ１９が本発明の「走査装置」の一例である。モード設定処理を実行するＣＰＵ４０が本発明の「設定手段」の一例である。印刷媒体が本発明の「被印刷対象」の一例である。図２３に示す印刷処理が、本発明の「制御処理」の一例であり、図２３に示す印刷処理のプログラムが、本発明の「プログラムの」の一例である。ＲＯＭ４１が、本発明の「記憶媒体」の一例である。
【０１２２】
なお、本発明は、上記実施の形態に限られず、各種の変形が可能である。例えば、インク量設定処理では、追加ヘッドの種類の検出処理（Ｓ１２）に変えて、プリンタ１に装着するヘッド種類をユーザが操作部４７から入力して、その入力結果に基づきＣＰＵ４０が、自動的にインクの減量を設定してもよい。また、プリンタ１にて印刷する印刷データをＣＰＵ４０が自動解析して、その解析結果に基づき、ＣＰＵ４０が自動的にインクの減量を設定してもよい。自動解析の一例は、ＣＰＵ４０が、第一ヘッド取付部１１１Ａ，１１１Ｂに取り付けられるヘッドがインクを吐出する全領域に対して、該ヘッドによるインクの吐出後、該ヘッドとは別のヘッドが液体を吐出すると解析した場合である。ＣＰＵ４０は、各ヘッドの吐出順と、印刷位置の重なりに基づき自動解析を実行してもよい。また、プリンタ１では、キャリッジ２０に取付けられるヘッドの数や種類に応じて、キャリッジ２０を駆動する電圧、電流、波形、タイミングなどの駆動制御を適宜変更してもよい。その駆動制御の変更は、ユーザによる入力操作によって決定されるものであってもよい。そのほか、その駆動制御の変更は、キャリッジ２０に取付けられているヘッドの数や種類を自動的に検出することや、印刷される画像や工程からヘッドの数や種類を自動的に解析することによって、自動的に決定されるものであってもよい。
【０１２３】
上述した印刷の過程においては、左から右にキャリッジ２０Ａが移動する際に、領域Ａ１に対して印刷を開始するので、領域Ａ１の左端側に抜染印刷、下地印刷、カラー印刷の開始位置（位置Ｐ１）が位置する。もし、右から左にキャリッジ２０Ａが移動する際に、領域Ａ１に対して印刷を開始する場合は、領域Ａ１の右端側に抜染印刷、下地印刷、カラー印刷の開始位置（位置Ｐ２）が位置する。抜染印刷、下地印刷、カラー印刷の開始位置のすべてが、領域Ａ１の左端側又は右端側だけに位置しているが、抜染印刷、下地印刷、カラー印刷の開始位置の何れかが別の側にあっても良い。
【０１２４】
上述した印刷の過程においては、後から前にプラテン５が移動する際に、印刷が必要な領域Ａ１に対して印刷を開始する場合は、領域Ａ１の後側に抜染印刷、下地印刷、カラー印刷の開始位置が位置する。もし、前から後にプラテン５が移動する際に、領域Ａ１に対して印刷を開始する場合は、領域Ａ１の前側に抜染印刷、下地印刷、カラー印刷の開始位置が位置してもよい。また、抜染印刷、下地印刷、カラー印刷の開始位置にすべてが領域Ａ１の後側又は前側だけに位置しているものに限られず、抜染印刷、下地印刷、カラー印刷の開始位置の何れかが別の側にあっても良い。
【０１２５】
また、インクの乾きにくさは作業環境にも依存する。そのため、下地印刷用ヘッド１００、抜染インク用ヘッド３０２、カラー印刷用ヘッド２００の間隔を広げるのではなく、抜染印刷、下地印刷、カラー印刷のそれぞれの時間的な間隔を開けたい場合に、作業効率を下げても、プラテン５の前後方向への２往復で抜染印刷、下地印刷、及び、カラー印刷が行われてもよい。例えば、プリンタ１では、プラテン５が後側から前側に搬送されるときに抜染印刷が行われてもよい。次いで、プラテン５が前側から後側に搬送されるときに下地印刷が行われてもよい。次いで、プラテン５が前側から後側に搬送されるときにカラー印刷が行われてもよい。この場合には、抜染印刷、下地印刷、及びカラー印刷の各間隔の時間を広げて、インクの乾燥時間を確保することができる。なお、抜染印刷をプラテン５が後ろから前に搬送されるときに行うのは、抜染部分ができているかを、目視するためである。最終的なカラー印刷は、プラテン５が後側から前側に行われる。従って、印刷済みの印刷媒体の取り出しを即座に行うことができる。
【０１２６】
また、抜染インク用ヘッド３０２による抜染開始位置Ｐ１を含む走査位置、又は、抜染インク用ヘッド３０２による抜染完了位置Ｐ４を含む走査位置の何れかを、カラー印刷用ヘッド２００や下地印刷用ヘッド１００の印刷開始位置を含む走査位置に合わせてもよい。この場合、カラー印刷用ヘッド２００、下地印刷用ヘッド１００、及び、追加ヘッド３００が全く同じ領域に印刷をする場合であっても、カラー印刷用ヘッド２００や下地印刷用ヘッド１００の印刷開始位置は、必ずしも、抜染インク用ヘッド３０２による抜染開始位置Ｐ１である必要はない。抜染インク用ヘッド３０２による抜染開始位置Ｐ１を含む走査における走査の反対側の印刷領域の端部位置Ｐ２を、カラー印刷用ヘッド２００や下地印刷用ヘッド１００の印刷開始位置としてもよい。追加ヘッド３００による抜染完了位置Ｐ４を、カラー印刷用ヘッド２００や下地印刷用ヘッド１００の印刷開始位置としてもよい。抜染インク用ヘッド３０２による抜染完了位置Ｐ４を含む走査における走査の反対側の印刷領域の端部位置Ｐ３を、カラー印刷用ヘッド２００や下地印刷用ヘッド１００の印刷開始位置としてもよい。抜染印刷は位置ＰＩから開始するが、下地印刷はＰ２から開始し、カラー印刷はＰ４から開始するようにしてもよい。印刷画像、インクの乾燥時間などを考慮して適宜、開始位置を設定しても構わない。キャリッジ２０の待機位置は右側としているが、左側でも構わない。
【０１２７】
図２５〜図３２に示すように、キャリッジ２０Ｂの主走査方向に複数の同じ種類のヘッドが複数設けられ、その同じ種類ヘッドが副走査方向にずれて配置されている場合においては、同じ種類のヘッドのうち、どのヘッドのどの部分を印刷開始位置にするかは次のように決定される。同じ種類の複数のヘッドによる印刷に関して、プラテン５の副走査方向における移動方向（図２７、図２９では矢印Ｂ方向、図２５、図２６、図３０〜図３２では矢印Ａ方向）が特定される。その移動方向におけるプラテン５が印刷の進行に伴って移動する側を印刷下流側とし、反対側を印刷上流側とする。同じ種類の複数のヘッドのうち、各ヘッドのノズル列の印刷下流側の端が最も印刷上流側に位置するヘッドが特定される。さらに、その特定されたヘッドに関して、ノズル列の印刷下流側の端が最も印刷下流側に位置する端部を基準にして、印刷開始位置が決定されればよい。図２７では印刷下流側が図中の後側になり、左右２列のヘッド列うち、右列にある抜染インク用ヘッド３０２Ｂの後側を印刷開始位置を含む側とするとする。図２５、図２６、図３０、図３１では印刷下流側が図中の前側になり、左右２列のヘッド列うち、左列にあるヘッドの前側を印刷開始位置を含む側とする。図２５では、白インク用ヘッド１０１Ａの前側、図２６では、カラー印刷用ヘッド２０１Ａの前側が、印刷開始位置を含む側である。
【０１２８】
なお、請求項３に関して、前記２つの下地印刷用ヘッド取付部または前記２つの色彩印刷用ヘッド取付部の少なくとも一方には、異なる種類のヘッドが取付けられたとは、例えば、次のようなことである。下地印刷用ヘッド取付部１１０Ａ、１１０Ｂがキャリッジ２０Ｃに２つあって、一方に、抜染インク用ヘッド１０２が取り付けられ、他方に白インク用ヘッド１０１Ａが取り付けられたような状態である。色彩用ヘッド取付部（カラー印刷用ヘッド取付部）２１０Ａ、２１０Ｂがキャリッジ２０Ｃに２つあって、一方に、カラー印刷用ヘッド２０１Ａが取り付けられ、他方に特色インク用ヘッド３０１Ａが取り付けられたような状態である。本発明において、抜染インクとは、被印刷対象の色を抜く作用を生じる薬剤であって、被印刷対象の色に対して何らかの染料や顔料によって色を付与する作用はない。しかし、抜染インクが、被印刷対象の色を抜く作用を生じる薬剤であって、かつ、被印刷対象の色に対して何らかの染料や顔料によって色を付与する作用があっても良い。抜染インクにとって、被印刷対象の色を抜く作用は必須であるが、被印刷対象の色に対して何らかの染料や顔料によって色を付与する作用は必須ではない。
【符号の説明】
【０１２９】
１    プリンタ
３    装着部
５    プラテン
６    プラテン駆動機構
１９  駆動モータ
２０  キャリッジ
２０Ａ〜２０Ｅ  キャリッジ
３０  カートリッジ
３１  収容部
３３  カートリッジセンサ
３４  ヘッドセンサ
４０  ＣＰＵ
４２  ＲＡＭ
４７  操作部
６１  ノズル
６２  ノズル列
７０Ａ〜７０Ｃ  インク流路
１００  下地印刷用ヘッド
１０１Ａ〜１０１Ｄ  白インク用ヘッド
１１０、１１０Ａ、１１０Ｂ  下地印刷用ヘッド取付部
１１１Ａ〜１１１Ｄ  第一ヘッド取付部
２００、２０１Ａ〜２０１Ｄ  カラー印刷用ヘッド
２１０、２１０Ａ、２１０Ｂ  カラー印刷用ヘッド取付部
２１１Ａ〜２１１Ｄ  第二ヘッド取付部
３００  追加ヘッド
３０１、３０１Ａ、３０１Ｂ  特色インク用ヘッド
３０２、３０２Ａ、３０２Ｂ  抜染インク用ヘッド
３１０、３１０Ａ、３１０Ｂ  追加ヘッド取付部
３２０  平坦部
【図１】
2020163581.tif 000003
【図２】
2020163581.tif 000004
【図３】
2020163581.tif 000005
【図４】
2020163581.tif 000006
【図５】
2020163581.tif 000007
【図６】
2020163581.tif 000008
【図７】
2020163581.tif 000009
【図８】
2020163581.tif 000010
【図９】
2020163581.tif 000011
【図１０】
2020163581.tif 000012
【図１１】
2020163581.tif 000013
【図１２】
2020163581.tif 000014
【図１３】
2020163581.tif 000015
【図１４】
2020163581.tif 000016
【図１５】
2020163581.tif 000017
【図１６】
2020163581.tif 000018
【図１７】
2020163581.tif 000019
【図１８】
2020163581.tif 000020
【図１９】
2020163581.tif 000021
【図２０】
2020163581.tif 000022
【図２１】
2020163581.tif 000023
【図２２】
2020163581.tif 000024
【図２３】
2020163581.tif 000025
【図２４】
2020163581.tif 000026
【図２５】
2020163581.tif 000027
【図２６】
2020163581.tif 000028
【図２７】
2020163581.tif 000029
【図２８】
2020163581.tif 000030
【図２９】
2020163581.tif 000031
【図３０】
2020163581.tif 000032
【図３１】
2020163581.tif 000033
【図３２】
2020163581.tif 000034
【図３３】
2020163581.tif 000035